(57)【要約】【課題】本発明は、安全で利便性の高い電子ファイル受渡プログラム及び電子ファイル受渡システムを提供することを課題とする。【解決手段】電子ファイル受渡システム５は、電子ファイルと電子ファイルを受信する計算機２０のユーザの電話番号との対応を管理するファイル保存情報を記憶し、発信者番号通知を伴ったダイアルを受け、当該ダイアルの発信者の電話番号を特定し、前記ファイル保存情報を参照し、前記特定した電話番号に対応する電子ファイルのダウンロードを許可し、電子ファイルのダウンロードを許可すると、当該電子ファイルをダウンロード要求の送信元の計算機２０に送信する。【選択図】図１
2007188278.tif 000002
【特許請求の範囲】
【請求項１】
複数の計算機に接続され、プロセッサ、メモリ及びインタフェースを備える電子ファイル受渡システムであって、
前記メモリは、
電子ファイルと当該電子ファイルを受信する前記計算機のユーザの電話番号との対応を管理するファイル保存情報を記憶し、
前記プロセッサは、
発信者番号通知を伴ったダイアルを受けると、当該ダイアルの発信者の電話番号を特定し、
前記ファイル保存情報を参照して、前記特定した電話番号に対応する電子ファイルを特定し、
前記特定した電子ファイルのダウンロードを許可することを特徴とする電子ファイル受渡システム。
【請求項２】
複数の計算機に接続され、プロセッサ、メモリ及びインタフェースを備える電子ファイル受渡システムであって、
前記メモリは、
電子ファイルと当該電子ファイルを受信する前記計算機のユーザの電話番号との対応及び当該電話番号からのダイアルの着信時刻を管理するファイル保存情報を記憶し、
前記プロセッサは、
発信者番号通知を伴ったダイアルを受けると、当該ダイアルの発信者の電話番号及び当該ダイアルの着信時刻を特定し、
前記特定したダイアルの着信時刻を前記ファイル保存情報に格納し、
ダウンロード要求を受信すると、当該ダウンロード要求によってダウンロードが要求される電子ファイル及び当該ダウンロード要求の受信時刻を特定し、
前記特定した電子ファイルに対応する電話番号からのダイアルの着信時刻を、前記ファイル保存情報から抽出し、
前記特定したダウンロード要求の受信時刻と前記抽出したダイアルの着信時刻との差が閾値以内であるか否かを判定し、
ダウンロード要求の受信時刻とダイアルの着信時刻との差が閾値以内であると、前記特定した電子ファイルのダウンロードを許可することを特徴とする電子ファイル受渡システム。
【請求項３】
複数の計算機に接続され、プロセッサ、メモリ及びインタフェースを備える電子ファイル受渡システムであって、
前記メモリは、
電子ファイルと当該電子ファイルを受信する前記計算機のユーザの電話番号との対応及び当該電話番号からのダイアルの着信の有無を管理するファイル保存情報を記憶し、
前記プロセッサは、
発信者番号通知を伴ったダイアルを受けると、当該ダイアルの発信者の電話番号を特定し、
前記特定した電話番号からのダイアルの着信があったことを、前記ファイル保存情報に格納し、
ダウンロード要求を受信すると、当該ダウンロード要求によってダウンロードが要求される電子ファイルを特定し、
前記ファイル保存情報に基づいて、前記特定した電子ファイルに対応する電話番号からのダイアルの着信があったか否かを判定し、
着信があったと判定した場合のみ、前記特定した電子ファイルのダウンロードを許可することを特徴とする電子ファイル受渡システム。
【請求項４】
前記プロセッサは、電子ファイルのダウンロードを許可すると、当該電子ファイルのダウンロード要求の送信元である前記計算機に送信することを特徴とする請求項１から３のいずれか一つに記載の電子ファイル受渡システム。
【請求項５】
前記電子ファイル受渡システムは、前記電子ファイルを記憶しているストレージ装置に接続され、
前記プロセッサは、電子ファイルのダウンロードを許可すると、ダウンロード要求の送信元である前記計算機への当該電子ファイルの送信を、前記ストレージ装置に指示することを特徴とする請求項１から３のいずれか一つに記載の電子ファイル受渡システム。
【請求項６】
前記プロセッサは、発信者番号通知を伴ったダイアルの発信要求を前記計算機に出力させることを特徴とする請求項１から５のいずれか一つに記載の電子ファイル受渡システム。
【請求項７】
複数の計算機に接続されている電子ファイル受渡システムが実行するプログラムであって、
発信者番号通知を伴ったダイアルを受けると、当該ダイアルの発信者の電話番号を特定する処理と、
電子ファイルと当該電子ファイルを受信する前記計算機のユーザの電話番号との対応を管理するファイル保存情報を参照して、前記特定した電話番号に対応する電子ファイルを特定し、
前記特定した電子ファイルのダウンロードを許可する処理と、を含むことを特徴とするプログラム。
【請求項８】
複数の計算機に接続されている電子ファイル受渡システムが実行するプログラムであって、
発信者番号通知を伴ったダイアルを受けると、当該ダイアルの発信者の電話番号及び当該ダイアルの着信時刻を特定する処理と、
電子ファイルと当該電子ファイルを受信する前記計算機のユーザの電話番号との対応及び当該電話番号からのダイアルの着信時刻を管理するファイル保存情報に、前記特定したダイアルの着信時刻を格納する処理と、
ダウンロード要求を受信すると、当該ダウンロード要求によってダウンロードが要求される電子ファイル及び当該ダウンロード要求の受信時刻を特定する処理と、
前記特定した電子ファイルに対応する電話番号からのダイアルの着信時刻を、前記ファイル保存情報から抽出する処理と、
前記特定したダウンロード要求の受信時刻と前記抽出したダイアルの着信時刻との差が閾値以内であるか否かを判定する処理と、
ダウンロード要求の受信時刻とダイアルの着信時刻との差が閾値以内であると、前記特定した電子ファイルのダウンロードを許可する処理と、を含むことを特徴とするプログラム。
【請求項９】
複数の計算機に接続されている電子ファイル受渡システムが実行するプログラムであって、
発信者番号通知を伴ったダイアルを受けると、当該ダイアルの発信者の電話番号を特定する処理と、
電子ファイルと当該電子ファイルを受信する前記計算機のユーザの電話番号との対応及び当該電話番号からのダイアルの着信の有無を管理するファイル保存情報に、前記特定した電話番号からのダイアルの着信があったことを格納する処理と、
ダウンロード要求を受信すると、当該ダウンロード要求によってダウンロードが要求される電子ファイルを特定する処理と、
前記ファイル保存情報に基づいて、前記特定した電子ファイルに対応する電話番号からのダイアルの着信があったか否かを判定する処理と、
着信があったと判定した場合のみ、前記特定した電子ファイルのダウンロードを許可する処理と、を含むことを特徴とするプログラム。
【請求項１０】
プロセッサ、メモリ及びインタフェースを備える第１の計算機と、プロセッサ、メモリ及びインタフェースを備える第２の計算機と、前記第１の計算機及び前記第２の計算機に接続され、プロセッサ、メモリ及びインタフェースを備える電子ファイル受渡システムと、を備える計算機システムであって、
前記電子ファイル受渡システムは、電子ファイル及び前記第２の計算機のユーザの電話番号を、前記第１の計算機から受信し、
前記受信した前記第２の計算機のユーザの電話番号を、電子ファイルと当該電子ファイルを受信する前記計算機のユーザの電話番号との対応及び当該電話番号からのダイアルの着信時刻を管理するファイル保存情報に格納し、
発信者番号通知を伴ったダイアルを受けると、当該ダイアルの発信者の電話番号及び当該ダイアルの着信時刻を特定し、
前記特定したダイアルの着信時刻を前記ファイル保存情報に格納し、
ダウンロード要求を受信すると、当該ダウンロード要求によってダウンロードが要求される電子ファイル及び当該ダウンロード要求の受信時刻を特定し、
前記特定した電子ファイルに対応する電話番号からのダイアルの着信時刻を、前記ファイル保存情報から抽出し、
前記特定したダウンロード要求の受信時刻と前記抽出したダイアルの着信時刻との差が閾値以内であるか否かを判定し、
ダウンロード要求の受信時刻とダイアルの着信時刻との差が閾値以内であると、前記特定した電子ファイルを前記第２計算機がダウンロードすることを許可することを特徴とする計算機システム。
【発明の詳細な説明】
【技術分野】
【０００１】
本発明は、電子ファイル受渡プログラム及び電子ファイル受渡システムに関するものである。
【背景技術】
【０００２】
従来、電子メールの送受信には向かない大容量の電子ファイルを受け渡す方法として次のようなＷＥＢサーバー機能をもったシステムが知られている。システムは、電子ファイルの送信者からＷＥＢブラウザを通じてＷＥＢページのアクセスを受け付け、送信したい電子ファイルと送信先のメールアドレスの指定を受ける。続いてこの電子ファイルをＷＥＢサーバーにアップロードすると同時に、ダウンロード用のＵＲＬを生成し、送信先のメールアドレスに対してこのＵＲＬを本文に記載した電子メールを送信する。電子メールの受信者からＷＥＢブラウザを通じてこのＵＲＬのアクセスを受け付け、電子ファイルがダウンロードされることで、電子ファイルの受け渡しを完了する。具体的に普及しているサービスとしてヤフー株式会社の「Ｙａｈｏｏ！ブリースケース」やトッパン・フォームズ株式会社の「でじ便」（登録商標）がある。なお、ファイルのアップロード、ダウンロード、電子メールの送信に関する方法については、特許文献１に詳しく説明されており、ＵＲＬの構成については特許文献２に詳しく説明されている。また、特許文献３では、電話の発信者番号を利用してパスワードを伝達するパスワード伝達システムが、詳しく説明されている。
【０００３】
【特許文献１】特開平１０−１５４１１０号
【特許文献２】米国特許出願２００３／０１０１２７１  Ａ１段落０１２０〜段落０１５４
【特許文献３】特許公開２００５−２４２９９３
【発明の開示】
【発明が解決しようとする課題】
【０００４】
しかしながら、特許文献１の技術によると、システムから送信されてきた電子メールが、送信者が意図しない者に盗聴された場合、電子ファイルが盗聴者によってダウンロードされてしまう問題がある。
【０００５】
この解決のために、前記システムが、送信者から送信する電子ファイルの指定を受ける際に、ダウンロード用のＵＲＬにアクセスするためのパスワードの設定を受け付け、電子メールの受信者がＵＲＬにアクセスした際にパスワードを尋ねる方法がある。この場合、送信者から受信者に対して、別途アクセス用のパスワードを伝えるという作業が発生する。この作業を電子メールで実施した場合に、同様に盗聴されればやはり盗聴者によって電子ファイルがダウンロードされてしまい、前記の問題が解決されない
【０００６】
また、特許文献３のシステムでは、暗号化ファイルを復号する者が、音声で案内される復号のためのパスワードを誤って聞き取った場合、ファイルを復号できないという問題がある。また、復号するために、受け取ったパスワードを、復号用のアプリケーションに投入する作業が必要となる問題がある。
【０００７】
本発明は、これらの問題を解決するための安全で利便性の高い電子ファイル受渡プログラム及び電子ファイル受渡システムを提供することを課題とする。
【課題を解決するための手段】
【０００８】
本発明の電子ファイル受渡システムは、複数の計算機に接続され、プロセッサ、メモリ及びインタフェースを備える電子ファイル受渡システムであって、  電子ファイルと当該電子ファイルを受信する前記計算機のユーザの電話番号との対応を管理するファイル保存情報を記憶する手段と、発信者番号通知を伴ったダイアルを受ける手段と、当該ダイアルの発信者の電話番号を特定する手段と、前記ファイル保存情報を参照する手段と、前記特定した電話番号に対応する電子ファイルを特定する手段と、前記特定した電子ファイルのダウンロードを許可する手段と、を具備することを特徴とする。
【０００９】
この構成によれば、電子ファイル送信者が意図しない者に電子メールを盗聴された場合であっても、送信者が指定した電話番号の電話を所有していなければ電子ファイルをダウンロードできない。また、ファイルダウンロード用のＵＲＬにアクセスするためのパスワードや、ファイルを復号化するためのパスワードを、ファイル送信者とファイル受取者の間で受け渡す必要がなく、ファイル復号者は、復号用のアプリケーションに復号用のパスワードを投入する作業が必要ない。したがって、盗聴者による電子ファイルのダウンロードを防止し、安全で利便性の高い電子ファイル受渡プログラム及び電子ファイル受渡システムを提供することができる。
【００１０】
また、本発明の電子ファイル受渡システムは、複数の計算機に接続され、プロセッサ、メモリ及びインタフェースを備える電子ファイル受渡システムであって、電子ファイルと当該電子ファイルを受信する前記計算機のユーザの電話番号との対応及び当該電話番号からのダイアルの着信時刻を管理するファイル保存情報を記憶する手段と、発信者番号通知を伴ったダイアルを受ける手段と、当該ダイアルの発信者の電話番号及び当該ダイアルの着信時刻を特定手段と、前記特定したダイアルの着信時刻を前記ファイル保存情報に格納する手段と、ダウンロード要求を受信する手段と、当該ダウンロード要求によってダウンロードが要求される電子ファイル及び当該ダウンロード要求の受信時刻を特定する手段と、前記特定した電子ファイルに対応する電話番号からのダイアルの着信時刻を、前記ファイル保存情報から抽出する手段と、前記特定したダウンロード要求の受信時刻と前記抽出したダイアルの着信時刻との差が閾値以内であるか否かを判定する手段と、ダウンロード要求の受信時刻とダイアルの着信時刻との差が閾値以内であると、前記特定した電子ファイルのダウンロードを許可する手段と、を具備することを特徴とする。
【００１１】
また、本発明の電子ファイル受渡システムは、複数の計算機に接続され、プロセッサ、メモリ及びインタフェースを備える電子ファイル受渡システムであって、電子ファイルと当該電子ファイルを受信する前記計算機のユーザの電話番号との対応及び当該電話番号からのダイアルの着信の有無を管理するファイル保存情報を記憶する手段と、発信者番号通知を伴ったダイアルを受ける手段と、当該ダイアルの発信者の電話番号を特定する手段と、前記特定した電話番号からのダイアルの着信があったことを、前記ファイル保存情報に格納する手段と、ダウンロード要求を受信する手段と、当該ダウンロード要求によってダウンロードが要求される電子ファイルを特定する手段と、前記ファイル保存情報に基づいて、前記特定した電子ファイルに対応する電話番号からのダイアルの着信があったか否かを判定する手段と、着信があったと判定した場合のみ、前記特定した電子ファイルのダウンロードを許可する手段と、を具備することを特徴とする。
【００１２】
また、本発明の電子ファイル受渡システムは、受け渡す電子ファイルを記憶しているストレージ装置に接続され、電子ファイルのダウンロードを許可すると、ダウンロード要求の送信元である計算機への当該電子ファイルの送信を、前記ストレージ装置に指示する手段を具備することを特徴とする。
【００１３】
本発明の電子ファイル受渡システムは、発信者番号通知を伴ったダイアルの発信の要求を電子ファイルを受信するユーザーの計算機に出力させる手段をさらに具備することがこのましい。
【００１４】
本発明の電子ファイル受渡プログラムは、複数の計算機に接続されている電子ファイル受渡システムが実行するプログラムであって、発信者番号通知を伴ったダイアルを受けると、当該ダイアルの発信者の電話番号を特定する処理と、電子ファイルと当該電子ファイルを受信する前記計算機のユーザの電話番号との対応を管理するファイル保存情報を参照して、前記特定した電話番号に対応する電子ファイルを特定し、前記特定した電子ファイルのダウンロードを許可する処理と、を含むことを特徴とする。
【００１５】
このプログラムによれば、電子ファイル送信者が意図しない者に電子メールを盗聴された場合であっても、送信者が指定した電話番号の電話を所有していなければ電子ファイルをダウンロードできない。また、ファイルダウンロード用のＵＲＬにアクセスするためのパスワードや、ファイルを復号化するためのパスワードを、ファイル送信者とファイル受取者の間で受け渡す必要がなく、ファイル復号者は、復号用のアプリケーションに復号用のパスワードを投入する作業が必要ない。したがって、盗聴者による電子ファイルのダウンロードを防止し、安全で利便性の高い電子ファイル受渡プログラム及び電子ファイル受渡システムを提供することができる。
【００１６】
また、本発明の電子ファイル受渡プログラムは、複数の計算機に接続されている電子ファイル受渡システムが実行するプログラムであって、発信者番号通知を伴ったダイアルを受けると、当該ダイアルの発信者の電話番号及び当該ダイアルの着信時刻を特定する処理と、電子ファイルと当該電子ファイルを受信する前記計算機のユーザの電話番号との対応及び当該電話番号からのダイアルの着信時刻を管理するファイル保存情報に、前記特定したダイアルの着信時刻を格納する処理と、ダウンロード要求を受信すると、当該ダウンロード要求によってダウンロードが要求される電子ファイル及び当該ダウンロード要求の受信時刻を特定する処理と、前記特定した電子ファイルに対応する電話番号からのダイアルの着信時刻を、前記ファイル保存情報から抽出する処理と、前記特定したダウンロード要求の受信時刻と前記抽出したダイアルの着信時刻との差が閾値以内であるか否かを判定する処理と、ダウンロード要求の受信時刻とダイアルの着信時刻との差が閾値以内であると、前記特定した電子ファイルのダウンロードを許可する処理と、を含むことを特徴とする。
【００１７】
また、本発明の電子ファイル受渡プログラムは、複数の計算機に接続されている電子ファイル受渡システムが実行するプログラムであって、発信者番号通知を伴ったダイアルを受けると、当該ダイアルの発信者の電話番号を特定する処理と、電子ファイルと当該電子ファイルを受信する前記計算機のユーザの電話番号との対応及び当該電話番号からのダイアルの着信の有無を管理するファイル保存情報に、前記特定した電話番号からのダイアルの着信があったことを格納する処理と、ダウンロード要求を受信すると、当該ダウンロード要求によってダウンロードが要求される電子ファイルを特定する処理と、前記ファイル保存情報に基づいて、前記特定した電子ファイルに対応する電話番号からのダイアルの着信があったか否かを判定する処理と、着信があったと判定した場合のみ、前記特定した電子ファイルのダウンロードを許可する処理と、を含むことを特徴とする。
【発明の効果】
【００１８】
本発明の電子ファイル受渡システムは、ファイル受信者が当該電子ファイル受渡システムへダイアル発信していなければ、電子ファイルのダウンロードを許可しないので、電子ファイル送信者が意図しない者に電子メールを盗聴された場合であっても、電子ファイルがダウンロードされない。また、ファイルダウンロード用のＵＲＬにアクセスするためのパスワードや、ファイルを復号化するためのパスワードを、ファイル送信者とファイル受取者の間で受け渡す必要がなく、ファイル受信者は、復号用のアプリケーションに復号用のパスワードを投入する作業が必要ない。ファイル受信者は、ダイアル発信をして、ダウンロード用のＵＲＬにアクセスするだけで、ファイルを受け取ることができる。したがって、盗聴者による電子ファイルのダウンロードを防止し、安全で利便性の高い電子ファイルの受け渡しができる。
【発明を実施するための最良の形態】
【００１９】
本発明の実施の形態を図面を参照して説明する。
（第１の実施形態）
図１は、第１の実施形態の電子ファイル受渡システム５のブロック図である。電子ファイル受渡システム５は、物理的には、ＣＰＵといった中央処理装置１００、メモリといった主記憶装置２００、ハードディスクといった補助記憶装置５００、インターネット１等の通信回線とデータ通信を可能とするデータ通信インターフェイス１１０、公衆電話交換網２又はインターネット１等から電話発着信を可能とする電話回線インターフェイス１２０、マウス又はキーボードといった入力装置（図示省略）、ディスプレイといった表示装置（図示省略）などを備えたコンピュータシステム（例えばサーバー、パーソナルコンピュータ）として構成されている。データ通信インターフェイス１１０は、インターネット１を介して複数のパーソナルコンピュータ１０、２０と接続されている。また、電話回線インターフェイス１２０は、公衆電話交換網２を介して固定電話５０及び携帯電話６０と接続されている。なお、電子ファイル受渡システム５は、補助記憶装置５００を備えずに、外部の記憶装置とデータ通信インターフェイス１１０を介して接続されていてもよい（図２）。
【００２０】
次に、電子ファイル受渡システム５の変形例を説明する。図２は、第１の実施形態の電子ファイル受渡システム５の変形例の説明図である。本説明図の電子ファイル受渡しシステム５は、補助記憶装置５００を内部に備えずに、外部の補助記憶装置５００に接続している。外部の補助記憶装置５００は、例えば、ＲＡＩＤを構成するストレージシステム等である。
【００２１】
図３は、第１の実施形態の電子ファイル受渡システム５の機能ブロック図である。電子ファイル受渡システムは、主記憶装置２００に、メインモジュール２１０、ファイルアップロード用ＷＥＢページ送出モジュール２２０、ファイル保存モジュール２３０、ダウンロード用ＵＲＬ生成モジュール２４０、ファイル情報保存モジュール２５０、メール送信モジュール２６０、発信者電話番号受付モジュール４００、ダイアル着信日時書込モジュール４１０、ファイルダウンロード用ＷＥＢページ送出モジュール３００、ダウンロード用ＵＲＬアクセス可否判定モジュール３１０、ファイル情報読取モジュール３２０及びファイルダウンロード用ＷＥＢページ生成モジュール３３０を記憶している。これらのモジュールは、電子ファイルの受渡側に関連するモジュール及び電子ファイルの受取側に関連するモジュールからなる。以下、各構成要素について詳細に説明する。
【００２２】
メインモジュール２１０は、ファイルアップロード用ＷＥＢページ送出モジュール２２０、ファイル保存モジュール２３０、ダウンロード用ＵＲＬ生成モジュール２４０、ファイル情報保存モジュール２５０、メール送信モジュール２６０、発信者電話番号受付モジュール４００、ダイアル着信日時書込モジュール４１０、ファイルダウンロード用ＷＥＢページ送出モジュール３００、ダウンロード用ＵＲＬアクセス可否判定モジュール３１０、ファイル情報読取モジュール３２０及びファイルダウンロード用ＷＥＢページ生成モジュール３３０の処理を制御する。
【００２３】
次に、電子ファイル受渡側に関連するモジュールの動作について説明する。
【００２４】
ファイルアップロード用ＷＥＢページ送出モジュール２２０は、データ通信インターフェイス１１０を経由してパーソナルコンピュータ１０からのアクセスを受け付ける。次に、ファイルアップロード用ＷＥＢページ送出モジュール２２０は、パーソナルコンピュータ１０を操作するユーザーが送信したい電子ファイル、電子ファイル名、電子ファイル受信者のメールアドレス及び前記電子ファイル受信者の電話番号を入力するためのアップロード用ＷＥＢページ（図４）を、アクセスされたパーソナルコンピュータ１０に送出する。すると、パーソナルコンピュータ１０は、受信したアップロード用ＷＥＢページを表示する。
【００２５】
図４は、第１の実施形態のパーソナルコンピュータ１０が表示するアップロード用ＷＥＢページの説明図である。アップロード用ＷＥＢページには、送信ファイル入力欄、ファイル受信者メールアドレス入力欄、ファイル受信者電話番号入力欄及び送信ボタンを含む。パーソナルコンピュータ１０は、送信ボタンが操作されると、送信ファイル入力欄、ファイル受信者メールアドレス入力欄及びファイル受信者電話番号入力欄に入力された情報（入力７００）を、ファイルアップロード用ＷＥＢページ送出モジュール２２０に送信する。
【００２６】
ここで図３に戻る。ファイルアップロード用ＷＥＢページ送出モジュール２２０は、パーソナルコンピュータ１０から入力７００を受け付け、ファイル保存モジュール２３０に引き渡す。なお、本実施形態では電子ファイル受信者の電話番号に携帯電話の番号を用いるが、公衆電話交換網等から電話端末まで有線で接続したいわゆる固定電話の電話番号を用いてもよい。例えば、電子ファイル及び電子ファイル名は「Ｃ：￥ｆｉｌｅ￥ＳｅｃｒｅｔＦＩｌｅ．ｔｘｔ」、電子ファイル受信者のメールアドレスは「ｒｖ＠ｊｐｏ．ｇｏ．ｊｐ」、電子ファイル受信者の携帯電話番号「０９０１１１１１１１１」とする。
【００２７】
ファイル保存モジュール２３０は、ファイルアップロード用ＷＥＢページ送出モジュール２２０から入力７００を受け付け、補助記憶装置５００のファイル保存領域５１０に電子ファイルを保存するためのフォルダを作成する。なお、ファイル保存領域５１０は、補助記憶領域５００の記憶領域であり、電子ファイルを記憶する。次に、ファイル保存モジュール２３０は、ファイル保存領域５１０に作成したフォルダに、入力７００に含まれる電子ファイルを保存する。このとき、ファイル保存モジュール２３０は、電子ファイルの保存先のフォルダパスを取得する。引き続いて、ファイル保存モジュール２３０は、引渡７１０をダウンロード用ＵＲＬ生成モジュール２４０へ引き渡す。なお、引渡７１０は、入力７００から電子ファイルを除いた対象及び取得したフォルダパスを含む。つまり、引渡７１０には、電子ファイル名、電子ファイル受信者のメールアドレス、電子ファイル受信者の電話番号及びフォルダパスが含まれる。
【００２８】
ダウンロード用ＵＲＬ生成モジュール２４０は、ファイル保存モジュール２３０から引渡７１０を引き受け、ファイルＩＤ、受信者ＩＤ及びＵＲＬ＿ＩＤを自動生成し、これらを組み合せてダウンロード用ＵＲＬを生成する。なお、ダウンロード用ＵＲＬ生成モジュール２４０は、ＵＲＬ  ＩＤを一意に生成することによって、ＵＲＬも一意に生成できる。
図５は、第１の実施形態のダウンロード用ＵＲＬ生成モジュール２４０が生成するＵＲＬの説明図である。なお、ＵＲＬの構成については特許文献２に詳しく説明されている。また、このＵＲＬの生成方法は一例であり、本発明を実施できる範囲で他の方法を用いてもよい。
【００２９】
本説明図のＵＲＬは、構成要素１０１０〜１０６０を含む。構成要素１０１０が通信プロトコルを、構成要素１０２０がサーバーを、構成要素１０３０がドメインを、構成要素１０４０がフォルダを、構成要素１０５０がプログラムファイルを、構成要素１０６０がＵＲＬパラメータを表す。ＵＲＬパラメータを表す構成要素１０６０は、ファイルＩＤの「２３３」、受信者ＩＤの「３３９８２」及びＵＲＬ  ＩＤの「ＦＩＡＡＡＶ４」を含む。
【００３０】
ここで、図３に戻る。ダウンロード用ＵＲＬ生成モジュール２４０は、ＵＲＬ生成後、引渡７２０をファイル情報保存モジュール２５０に渡す。引渡７２０には、生成したファイルＩＤ、受信者ＩＤ及びＵＲＬ＿ＩＤが含まれる。更に、引渡７２０には、引渡７１０に含まれる電子ファイル名、電子ファイル受信者の携帯電話番号及びファイル保存先フォルダパスが含まれる。次に、ダウンロード用ＵＲＬ生成モジュール２４０は、生成したＵＲＬ、引渡７１０に含まれる電子ファイル受信者のメールアドレス及び引渡７１０に含まれる電子ファイル受信者の携帯電話番号を電子メール送信モジュール２６０に引き渡す。
【００３１】
ファイル情報保存モジュール２５０は、ダウンロード用ＵＲＬ生成モジュール２４０から引渡７２０を引き受け、補助記憶装置５００に格納されているファイル情報保存テーブル５２０（図６）に引渡７２０を保存する。本実施形態では、ファイル情報保存テーブル５２０にデータベースを用いているがＸＭＬファイルを用いてもよい。なお、補助記憶装置５００に情報を保存する際は、いったん補助記憶装置５００から主記憶装置２００に、関連データを読み込んで記憶し、次に処理した後に、改めて補助記憶装置５００へ格納する。
【００３２】
図６は、第１の実施形態の電子ファイル受渡システム５のファイル情報保存テーブル５２０の構成図である。ファイル情報保存テーブル５２０は、ＵＲＬ＿ＩＤ５２０１、ファイルＩＤ５２０２、受信者ＩＤ５２０３、ファイル保存先フォルダ５２０４、ファイル名５２０５、電子ファイル受信者電話番号５２０６及びダイアル着信日時５２０７を含む。ＵＲＬ＿ＩＤ５２０１は、ダウンロード用ＵＲＬ生成モジュール２４０が生成したＵＲＬの一意な識別子である。ファイルＩＤ５２０２は、当該ＵＲＬによって送信するファイルの一意な識別子である。受信者ＩＤ５２０３は、当該ファイルの受信者の一意な識別子である。ファイル保存先フォルダパス５２０４は、当該ファイルの保存先のフォルダパスである。ファイル名５２０５は、当該ファイルの名称であり、ファイルの受信者及び送信者が識別に用いる。電子ファイル受信者電話番号５２０６は、当該電子ファイルの受信者の電話番号である。ダイアル着信日時５２０７は、当該電話番号からダイアルを受け付けた日時である。例えばレコード５２１であれば、ＵＲＬ  ＩＤ５２０１は「ＦＩＡＡＡＶ４」、ファイルＩＤ５２０２は「２３３」、受信者ＩＤ５２０３は「３３９８２」、ファイル保存先フォルダパス５２０４は「Ｃ：￥ｆｉｌｅ￥ＦＩＡＡＡＶ４」、ファイル名５２０５は「ＳｅｃｒｅｔＦＩｌｅ．ｔｘｔ」、電子ファイル受信者電話番号５２０６は「０９０１１１１１１１１」、ダイアル着信日時５２０７は書き込みなしである。なお、図６に示したファイル情報保存テーブル５２０のテーブル構造は一例であり、本発明の利用者の規模又はシステムを構成する中央処理装置若しくは主記憶装置の性能などに応じて、本発明を実施できる範囲で変更できる。
【００３３】
ここで、図３に戻る。電子メール送信モジュール２６０は、ダウンロード用ＵＲＬ、電子ファイル受信者のメールアドレス及び電子ファイル受信者の携帯電話番号をダウンロード用ＵＲＬ生成モジュール２４０から引き受ける。次に、電子メール送信モジュール２６０は、引き受けたダウンロード用ＵＲＬ、電話回線インターフェイス１２０に割り当てられている電話番号及び当該電話番号へ携帯電話からダイアルした後に前記ＵＲＬにアクセスするように案内する文章を本文に含む電子メール８００を生成する。また、電子メール送信モジュール２６０は、ダウンロード用ＵＲＬ生成モジュール２４０から引き受けた電子ファイル受信者の携帯電話番号を、生成する電子メール８００の本分に含めてもよいし、含めなくてもよい。
【００３４】
次に、電子メール送信モジュール２６０は、作成した電子メール８００を、ダウンロード用ＵＲＬ生成モジュール２４０から引き受けた電子ファイル受信者のメールアドレスに送信する。また、本実施形態の電信ファイル受渡システム５はＳＭＴＰ（Ｓｉｍｐｌｅ  Ｍａｉｌ  Ｔｒａｎｓｆｅｒ  Ｐｒｏｔｏｃｏｌ）サーバーといった電子メール送信機能を備えていないが、の内部に備えていてもよい。ここで電子メール８００の一例を示す。「お客様に電子ファイルが届いています。ｈｔｔｐ：／／ｗｗｗ．ｓａｍｐｌｅ．ｃｏｍ／ｃｇｉ／ｐｏｓｔａ．ｄｌｌ？ｐｕ＝２３３−３３９８２−ＦＩＡＡＡＶ４にアクセスしてダウンロードしてください。なお、上記ＵＲＬにアクセスする前にお客様がお持ちの携帯電話０９０−１１１１−１１１１より発信者電話番号を通知しながら０３−１２３４−５６７８にお電話ください。お電話後、３０秒以内に上記ＵＲＬにアクセスいただきますとファイルをダウンロードできます。」
【００３５】
次に電子ファイル受取側に関連するモジュールの動作について説明する。
【００３６】
発信者電話番号受付モジュール４００は、電話回線インターフェイス１２０を経由して発信者電話番号通知を伴った携帯電話６０からのダイアルを受け付け、当該発信者電話番号及び当該ダイアルを受け付けた日時をダイアル着信日時書込モジュール４１０に引き渡す。一方で、発信者電話番号受付モジュール４００は、発信者電話番号通知を伴わない携帯電話６０からのダイアルを拒否する。なお、発信者電話番号受付モジュール４００は、携帯電話６０又は固定電話５０からのダイヤルを受け付けるだけで、発信者番号を取得できるので、電子ファイル受渡システム５は、携帯電話６０又は固定電話５０と必ずしも通話状態にならなくてもよい。
【００３７】
ダイアル着信日時書込モジュール４１０は、発信者電話番号受付モジュール４００から発信者電話番号及びダイアルを受け付けた日時を引き受ける。次に、ダイアル着信日時書込モジュール４１０は、引き受けた発信者電話番号とファイル情報保存テーブル５２０の電子ファイル受信者電話番号５２０６とが一致するレコードを、ファイル情報保存テーブル５２０から選択する。そして、ダイアル着信日時書込モジュール４１０は、選択したレコードのダイアル着信日時５２０７に、引き受けたダイアル受付日時を格納する。なお、１つの電話番号に対して複数のファイルが送信されている場合には、ダイアル着信日時書込モジュール４１０は、ファイル情報保存テーブル５２０から複数のレコードを選択するので、選択したすべてのレコードのダイアル着信日時５２０７にダイアル受付日時を格納する。
【００３８】
図７は、第１の実施形態の電子ファイル受渡システム５のファイル情報保存テーブル５２０の構成図である。本説明図のファイル情報保存テーブル５２０は、ファイル受信者からのダイアルの受付後のものである。具体的には、発信者電話番号受付モジュール４００が「２００５年１２月１日１３時４５分３６秒」に「０９０−１１１１−１１１１」からダイアルを受け付けた後のファイル情報保存テーブル５２０である。この場合、ダイアル着信日時書込モジュール４１０は、「０９０−１１１１−１１１１」とファイル情報保存テーブル５２０の電子ファイル受信者番号５２０６とが一致するレコード５２１及び５２３を、ファイル情報保存テーブル５２０から選択する。そして、選択したレコード５２１及び５２３のダイアル着信日時５２０７に、「２００５年１２月１日１３時４５分３６秒」を格納する。これによって、図６に示すファイル情報保存テーブル５２０のレコード５２１及び５２３を、図７に示すファイル情報保存テーブル５２０のレコード５３１及び５３３に更新する。
【００３９】
ここで、図３に戻る。ファイルダウンロード用ＷＥＢページ送出モジュール３００は、データ通信インターフェイス１１０を経由して、電子メール８００を受信したユーザーが操作するパーソナルコンピュータ２０からのアクセスを受け付ける。そして、アクセスを受け付けたＵＲＬを、ダウンロード用ＵＲＬアクセス可否判定モジュール３１０に引き渡し、アクセス許可の判定を依頼する。
【００４０】
ダウンロード用ＵＲＬアクセス可否判定モジュール３１０は、ファイルダウンロード用ＷＥＢページ送出モジュール３００からＵＲＬを引き受ける。次に、引き受けたＵＲＬからファイルＩＤ、受信者ＩＤ及びＵＲＬ  ＩＤを読み取る。次に、読み取ったＵＲＬ  ＩＤをファイル情報読取モジュール３２０に引き渡し、ファイル情報保存テーブル５２０から当該ＵＲＬ  ＩＤに関する情報の読み取りを依頼する。例えば、ダウンロード用ＵＲＬアクセス可否判定モジュール３１０は、「ｈｔｔｐ：／／ｗｗｗ．ｓａｍｐｌｅ．ｃｏｍ／ｃｇｉ／ｐｏｓｔａ．ｄｌｌ？ｐｕ＝２３３−３３９８２−ＦＩＡＡＡＶ４」というアクセスがあると、ＵＲＬ  ＩＤの「ＦＩＡＡＡＶ４」に関する情報の読み取りをファイル情報読取モジュール３２０に依頼する。
【００４１】
ファイル情報読取モジュール３２０は、ダウンロード用ＵＲＬアクセス可否判定モジュール３１０からＵＲＬ  ＩＤを引き受ける。次に、引き受けたＵＲＬ＿ＩＤとファイル情報保存テーブル５２０のＵＲＬ＿ＩＤ５２０１とが一致するレコードを、ファイル情報保存テーブル５２０から選択する。次に、選択したレコードから、ファイルＩＤ５２０２、受信者ＩＤ５２０３、ダイアル着信日時５２０７、ファイル名５２０５及びファイル保存先フォルダパス５２０４を抽出する。ここで、抽出した値を、応答７３０とする。そして、ファイル情報読取モジュール３２０は、応答７３０をダウンロード用ＵＲＬアクセス可否判定モジュール３１０に送信する。なお、ダイアル着信日時５２０７に値が格納されていない場合又はＵＲＬ＿ＩＤ５２０１が合致するレコードがファイル情報保存テーブルに５２０に存在しない場合には、ファイル情報読取モジュール３２０は、ダウンロード用ＵＲＬアクセス可否判定モジュール３１０にそのことを通知する。ここで通知方法の一例を示す。ダイアル着信日時５２０７に値が格納されていない場合、ファイル情報読取モジュール３２０は、ダイアル着信日時５２０７を無効値である「１９００年１月１日００：００：００」とする応答７３０を送信する。また、ＵＲＬ＿ＩＤ５２０１が合致するレコードが存在しない場合、ファイル情報読取モジュール３２０は、応答７３０に含むファイルＩＤ５２０２を空欄とする応答７３０を送信する。なお、通知方法はその目的を達成する限り他の方法を用いることができる。
【００４２】
ダウンロード用ＵＲＬアクセス可否判定モジュール３１０は、ファイル情報読取モジュール３２０から応答７３０を引き受け、ファイルダウンロード用ＷＥＢページ送出モジュール３００から引き受けたＵＲＬへのアクセスを許可するかどうかを判定する。アクセスを許可する場合、ダウンロード用ＵＲＬアクセス可否判定モジュール３１０は、ファイルダウンロード用ＷＥＢページ送出モジュール３００へ応答７３０を送信する。一方、アクセスを許可しない場合、ダウンロード用ＵＲＬアクセス可否判定モジュール３１０は、ファイルダウンロード用ＷＥＢページ送出モジュール３００へ不許可を通知する。例えば、ダウンロード用ＵＲＬアクセス可否判定モジュール３１０は、応答７３０に含まれるファイル保存先フォルダパス５２０４を空欄とする応答７３０をファイルダウンロード用ＷＥＢページ送出モジュール３００へ送信することによって、不許可を通知する。なお、不許可の通知方法はその目的を達成する限り他の方法を用いることができる。ここで、ダウンロード用ＵＲＬアクセス可否判定モジュール３１０は、以下の３つの条件をすべて満たすと、ファイルダウンロード用ＷＥＢページ送出モジュール３００から引き受けたＵＲＬへのアクセスを許可する。
（条件１）応答７３０を引き受けた時点の日時が、応答７３０に含まれるダイアル着信日時５２０７から一定時間以内であること。
（条件２）応答７３０に含まれるファイルＩＤ５２０５とファイルダウンロード用ＷＥＢページ送出モジュール３００から引き受けたＵＲＬに含まれるファイルＩＤとが一致し、且つ、応答７３０に含まれる受信者ＩＤ５２０３とファイルダウンロード用ＷＥＢページ送出モジュール３００から引き受けたＵＲＬに含まれる受信者ＩＤとが一致すること。
（条件３）ダイアル着信日時５２０７に値が格納されていないという通知及びＵＲＬ＿ＩＤ５２０１が合致するレコードが存在しない旨の通知の少なくとも一方を、ファイル情報読取モジュール３２０から受けていないこと。
【００４３】
条件１の一定時間は、短い方が安全なファイルの受け渡しを実現できる。なぜならば、電子メール８００を盗聴した本来の電子ファイル受信者でない者によってファイルダウンロード用ＵＲＬにアクセスされた日時が、アクセス許可される日時に含まれる可能性が低くなるからである。しかし逆に、条件１の一定時間が短過ぎると、本来の電子ファイル受信者がダイアルからファイルダウンロード用ＵＲＬにアクセスするまでに十分な時間を確保できないことから、ファイル受け取り時の利便性が低下する。本実施形態では、条件１の一定時間は、３０秒とするが、安全性と利便性の兼ね合いから本発明の実施者に委ねられる。
【００４４】
ここでダウンロード用ＵＲＬアクセス可否判定モジュール３１０がアクセスを許可すると判定する一例を示す。２００５年１２月１日１３時４５分３６秒に０９０−１１１１−１１１１から電話回線インターフェイス１２０に割り振られている０３−１２３４−５６７８に着信があり、続いて「ｈｔｔｐ：／／ｗｗｗ．ｓａｍｐｌｅ．ｃｏｍ／ｃｇｉ／ｐｏｓｔａ．ｄｌｌ？ｐｕ＝２３３−３３９８２−ＦＩＡＡＡＶ４」へアクセスがあり、ダウンロード用ＵＲＬアクセス可否判定モジュール３１０が、２００５年１２月１日１３時４５分５０秒に、ファイル情報読取モジュール３２０からファイルＩＤ「２３３」、受信者ＩＤ「３３９８２」、ダイアル着信日時「２００５／１２／１  １３：４５：３６」、ファイル名「ＳｅｃｒｅｔＦＩｌｅ．ｔｘｔ」及びファイル保存先フォルダパス「Ｃ：￥ｆｉｌｅ￥ＦＩＡＡＡＶ４」の応答を受けた。応答を引き受けた２００５年１２月１日１３時４５分５０秒はダイアル着信日時「２００５／１２／１  １３：４５：３６」から３０秒以上経過していないので、条件１を満たす。アクセスのあったｈｔｔｐ：／／ｗｗｗ．ｓａｍｐｌｅ．ｃｏｍ／ｃｇｉ／ｐｏｓｔａ．ｄｌｌ？ｐｕ＝２３３−３３９８２−ＦＩＡＡＡＶ４に含まれるファイルＩＤ「２３３」及び受信者ＩＤ「３３９８２」は、ファイル情報読取モジュール３２０から引き受けたファイルＩＤ「２３３」及び受信者ＩＤ「３３９８２」と等しく、条件２を満たす。ファイル情報読取モジュール３２０に読み取りを依頼したＵＲＬ  ＩＤ「ＦＩＡＡＡＶ４」のレコードにダイアル着信日時が書き込まれていないという通知及び合致するレコードがないという通知の少なくとも一方を受けておらず、条件３を満たす。したがって、３つの条件全てを満たすので、ダウンロード用ＵＲＬアクセス可否判定モジュール３１０は、当該ＵＲＬのアクセスを許可すると判定する。
【００４５】
なお、本実施形態の条件１では、応答７３０に含まれるダイアル着信日時からダウンロード用ＵＲＬアクセス可否判定モジュール３１０が応答７３０を引き受けた日時との間隔を用いた。例えばダイアル着信日時書込モジュール４１０がダイアルのあった日時に当該一定時間を予め加算し、ファイル情報保存テーブル５２０のダイアル着信日時５２０７に格納することによって、ダウンロード用ＵＲＬアクセス可否判定モジュール３１０は、応答７３０に含まれるダイアル着信日時と応答７３０を引き受けた日時とを比較してもよい。
【００４６】
また、本実施形態の条件１では、ダウンロード用ＵＲＬアクセス可否判定モジュール３１０が、応答７３０を引き受けた日時の代わりに、ＵＲＬアクセス日時を用いてもよい。この場合、ファイルダウンロード用ＷＥＢページ送出モジュール３００は、パーソナルコンピュータ２０からＵＲＬにアクセスがあった際に、アクセスされた日時を取得する。そして、取得した日時をＵＲＬアクセス日時として、ＵＲＬと共にダウンロード用ＵＲＬアクセス可否判定モジュール３１０に引き渡す。これによって、ダウンロード用ＵＲＬアクセス可否判定モジュール３１０は、条件１にＵＲＬアクセス日時を用いることができる。
【００４７】
ファイルダウンロード用ＷＥＢページ送出モジュール３００は、ダウンロード用ＵＲＬアクセス可否判定モジュール３１０から応答７３０を引き受け、応答７３０に含まれるファイル名５２０５及びファイル先保存フォルダパス５２０４をファイルダウンロード用ＷＥＢページ生成モジュール３３０に引き渡し、ファイルダウンロード用ＷＥＢページの生成を依頼する。ただし、ファイルダウンロード用ＷＥＢページ送出モジュール３００は、ダウンロード用ＵＲＬアクセス可否判定モジュール３１０からアクセス不許可の通知を受けた場合、そのことが分かるような応答７３０をファイルダウンロード用ＷＥＢページ生成モジュール３３０へ引き渡す。例えば、ファイルダウンロード用ＷＥＢページ送出モジュール３００は、ファイル保存先フォルダパス５２０４をスペースとした応答７３０をファイルダウンロード用ＷＥＢページ生成モジュール３３０へ引き渡す。なお、アクセス不許可の通知方法は、その目的を達成する他の方法を用いてもよい。
【００４８】
ファイルダウンロード用ＷＥＢページ生成モジュール３３０は、ファイルダウンロード用ＷＥＢページ送出モジュール３００からファイル名５２０５及びファイル保存先フォルダパス５２０４を引き受け、ファイルダウンロード用ＷＥＢページを生成する。そして、生成したファイルダウンロード用ＷＥＢページをファイルダウンロード用ＷＥＢページ送出モジュール３００へ応答する。ただし、ファイルダウンロード用ＷＥＢページ生成モジュール３３０は、ファイルダウンロード用ＷＥＢページ送出モジュール３００からアクセス不許可の通知を受けると、アクセスの拒否を示すＷＥＢページを生成し、ファイルダウンロード用ＷＥＢページ送出モジュール３００へ応答する。
【００４９】
ファイルダウンロード用ＷＥＢページ送出モジュール３００は、ファイルダウンロード用ＷＥＢページ生成モジュール３３０から引き受けたＷＥＢページを、データ通信インターフェイス１１０を経由して、パーソナルコンピュータ２０へ送出する。すると、パーソナルコンピュータ２０は、受信したファイルダウンロード用ＷＥＢページ（図８）を表示する。
【００５０】
図８は、第１の実施形態のパーソナルコンピュータ２０が表示するファイルダウンロード用ＷＥＢページの説明図である。ファイルダウンロード用ＷＥＢページは、ファイル名を含む。ファイル名が操作されると、パーソナルコンピュータ２０は、当該ファイル名に対応するファイルのダウンロードを、電子ファイル受渡システム５に要求する。すると、ファイルダウンロード用ＷＥＢページ送出モジュール３００は、パーソナルコンピュータ２０からファイルのダウンロードの要求を受ける。
【００５１】
図９は、第１の実施形態のパーソナルコンピュータが表示するアクセス拒否用のＷＥＢページの説明図である。当該ＷＥＢページには、アクセスが拒否された旨が記載される。
【００５２】
本実施形態では、ファイルダウンロード用ＷＥＢページ送出モジュール３００は、ダウンロード用ＵＲＬアクセス可否判定モジュール３１０からアクセス拒否の通知を受けた場合でも、ファイルダウンロード用ＷＥＢページ生成モジュール３３０へＷＥＢページの生成を依頼したが、依頼をせずに事前に準備したアクセス拒否用のＷＥＢページをパーソナルコンピュータ２０に送出してもよい。
【００５３】
本実施形態では、電話回線インターフェイス１２０に割り当てられている電話番号を電子メール８００に含ませることによって、電子ファイル受信者に当該電話番号を案内した。そこで、ファイルダウンロード用ＷＥＢページ生成モジュール３３０が生成する（又は事前に準備した）アクセス拒否用のＷＥＢページ（図１０）において、再アクセスを促す文書を表示してもよい。
【００５４】
図１０は、第１の実施形態の再アクセスを促すＷＥＢページの説明図である。当該ＷＥＢページは、電話回線インターフェイス１２０に割り当てられている電話番号を案内すると共に、当該電話番号に電子ファイル受信者の携帯電話からダイアルした後に再アクセスするように促す文章を掲載する。例えば、当該ＷＥＢページには、「お客様のアクセスは拒否されました。お客様がお持ちの携帯電話より発信者電話番号を通知しながら０３−１２３４−５６７８にダイアルし、３０秒以内に改めて電子メールに記載のＵＲＬにアクセスしてください。」という文書が表示される。
【００５５】
また、ファイルダウンロード用ＷＥＢページ送出モジュール３００が、感知したアクセスについて電子ファイル受信者が開いたＷＥＢブラウザの初回アクセスであることを判定すると、初回アクセス時のＷＥＢページ（図１１）をパーソナルコンピュータ２０へ送出してもよい。
【００５６】
図１１は、第１の実施形態の初回アクセス時のＷＥＢページの説明図である。当該ＷＥＢページは、電話回線インターフェイス１２０に割り当てられている電話番号を案内すると共に、前記電話番号に電子ファイル受信者の携帯電話からダイアルした後にアクセスするよう案内する文章を掲載する。例えば、当該ＷＥＢページには、「アクセスありがとうございます。お客様がお持ちの携帯電話より発信者電話番号を通知しながら０３−１２３４−５６７８にダイアルし、３０秒以内に改めて電子メールに記載のＵＲＬにアクセスしてください。」という文書が表示される。
【００５７】
次に第１の実施形態で電子ファイル受渡システムを用いて電子ファイルを受け渡す方法について図を用いて説明する。図１２では電子ファイル受渡側の処理を説明する。図１３では電子ファイル受取側の処理を説明する。
【００５８】
図１２は、第１の実施形態の電子ファイル受渡システム５の電子ファイル受渡側の処理のフローチャートである。
【００５９】
まず、電子ファイル受渡プログラムのファイルアップロード用ＷＥＢページ送出モジュール２２０は、パーソナルコンピュータ１０からのアクセスを待ち受ける。そして、パーソナルコンピュータ１０からのアクセスがあるまで、待機する（ステップＳ００１）。ファイルアップロード用ＷＥＢページ送出モジュール２２０は、アクセスを受けると、アップロード用ＷＥＢページ（図４）をパーソナルコンピュータ１０に送出する（ステップＳ００２）。
【００６０】
ファイルアップロード用ＷＥＢページ送出モジュール２２０は、電子ファイル、電子ファイル名、電子ファイル受信者のメールアドレス及び前記電子ファイル受信者の電話番号を受け付け、ファイル保存モジュール２３０に引き渡す（ステップＳ００３）。
【００６１】
ファイル保存モジュール２３０は、ファイル保存領域５１０にフォルダを作成して電子ファイルを保存する（ステップＳ００４）。
【００６２】
またファイル保存モジュール２３０は、ファイル名、ファイル受信者のメールアドレス、ファイル受信者の携帯電話番号及びファイル保存先のフォルダパスをダウンロード用ＵＲＬ生成モジュール２４０に引き渡す（ステップＳ００５）。
【００６３】
ダウンロード用ＵＲＬ生成モジュール２４０は、ファイル保存モジュール２３０から引き受けた情報に基づいて、ファイルＩＤ、受信者ＩＤ及びＵＲＬ  ＩＤを生成する。そして、ダウンロード用ＵＲＬ生成モジュール２４０は、生成したＩＤを組み合せてダウンロード用ＵＲＬを生成する。続いて、ダウンロード用ＵＲＬ生成モジュール２４０は、生成したファイルＩＤ、受信者ＩＤ及びＵＲＬ  ＩＤをファイル情報保存モジュール２５０に引き渡す。更に、ダウンロード用ＵＲＬ生成モジュール２４０は、引き受けた電子ファイル名、携帯電話番号及びファイル保存先フォルダパスを、ファイル情報保存モジュール２５０に引き渡す。また、ダウンロード用ＵＲＬ生成モジュール２４０は、生成したダウンロード用ＵＲＬ、引き受けたメールアドレス及び引き受けた携帯電話番号を電子メール送信モジュール２６０に引き渡す（ステップＳ００６）。
【００６４】
ファイル情報保存モジュール２５０は、ダウンロード用ＵＲＬ生成モジュール２４０から引き受けた情報を、ファイル情報保存テーブル５２０に保存する（ステップＳ００７）。具体的には、ファイル情報保存モジュール２５０は、引き受けたＵＲＬ＿ＩＤを、ファイル情報保存テーブル５２０のＵＲＬ＿ＩＤ５２０１に格納する。次に、引き受けたファイルＩＤを、ファイル情報保存テーブル５２０のファイルＩＤ５２０２に格納する。次に、引き受けた受信者ＩＤを、ファイル情報保存テーブル５２０の受信者ＩＤ５２０３に格納する。次に、引き受けたファイル保存先フォルダパスを、ファイル情報保存テーブル５２０のファイル保存先フォルダパス５２０４に格納する。次に、引き受けたファイル名を、ファイル情報保存テーブル５２０のファイル名５２０５に格納する。次に、引き受けた携帯電話番号を、ファイル情報保存テーブル５２０の電子ファイル受信者電話番号５２０６に格納する。
【００６５】
電子メール送信モジュール２６０は、ダウンロード用ＵＲＬ、メールアドレス及び携帯電話番号をダウンロード用ＵＲＬ生成モジュール２４０から引き受ける。そして、電子メール送信モジュール２６０は、電話回線インターフェイス１２０に割り当てられている電話番号及び当該電話番号へ携帯電話からダイアルした後にＵＲＬにアクセスするように案内する文章を含む電子メールを生成する（ステップＳ００８）。
【００６６】
電子メール送信モジュール２６０は、生成した電子メールを、ステップＳ００８で引き受けたメールアドレスに対して送信する（ステップＳ００９）。
【００６７】
図１３は、第１の実施形態の電子ファイル受渡システム５の電子ファイル受取側の処理のフローチャートである。
【００６８】
発信者電話番号受付モジュール４００は、携帯電話６０からのダイアルを受け付け、発信者電話番号及びダイアルを受け付けた日時をダイアル着信日時書込モジュール４１０に引き渡す（ステップＳ０１０）。
【００６９】
ダイアル着信日時書込モジュール４１０は、発信者電話番号受付モジュール４００から発信者電話番号及びダイアルを受け付けた日時を引き受ける。次に、ダイアル着信日時書込モジュール４１０は、引き受けた発信者電話番号とファイル情報保存テーブル５２０の電子ファイル受信者電話番号５２０６とが一致するレコードを、ファイル情報保存テーブル５２０から選択する。次に、ダイアル着信日時書込モジュール４１０は、選択したレコードのダイアル着信日時５２０７に、引き受けたダイアルの受付日時を格納する（ステップＳ０１１）。
【００７０】
ファイルダウンロード用ＷＥＢページ送出モジュール３００は、パーソナルコンピュータ２０のアクセスを待ち受ける状態にある。ファイルダウンロード用ＷＥＢページ送出モジュール３００は、アクセスを受けると、ダウンロード用ＵＲＬアクセス可否判定モジュール３１０に受け付けたＵＲＬを引き渡し、アクセス許可の判定を依頼する（ステップＳ０１２）。
【００７１】
ダウンロード用ＵＲＬアクセス可否判定モジュール３１０は、ファイルダウンロード用ＷＥＢページ送出モジュール３００からＵＲＬを引き受け、ＵＲＬからファイルＩＤ、受信者ＩＤ及びＵＲＬ  ＩＤを読み取る。続いて、ダウンロード用ＵＲＬアクセス可否判定モジュール３１０は、読み取ったＵＲＬ  ＩＤをファイル情報読取モジュール３２０に引き渡す。そして、ダウンロード用ＵＲＬアクセス可否判定モジュール３１０は、当該ＵＲＬ  ＩＤに関する情報の読み取りを、ファイル情報読取モジュール３２０に依頼する（ステップＳ０１３）。
【００７２】
ファイル情報読取モジュール３２０は、受け取ったＵＲＬ＿ＩＤとファイル情報保存テーブル５２０のＵＲＬ＿ＩＤ５２０１とが一致するレコードを、ファイル情報保存テーブル５２０から選択する。次に、ファイル情報読取モジュール３２０は、選択したレコードから、ファイルＩＤ５２０２、受信者ＩＤ５２０３、ダイアル着信日時５２０７、ファイル名５２０５及びファイル保存先フォルダパス５２０４を読み取り、ダウンロード用ＵＲＬアクセス可否判定モジュール３１０に応答する（ステップＳ０１４）。
【００７３】
ダウンロード用ＵＲＬアクセス可否判定モジュール３１０は、ファイル情報読取モジュール３２０から応答を受けた時点の日時が、応答に含まれるダイアル着信日時５２０７から一定時間以内であるかどうかを判定することによって、条件１を満たすかどうかを判定する。条件１を満たさない場合、ダウンロード用ＵＲＬアクセス可否判定モジュール３１０は、アクセスを不許可と判定する（ステップＳ０１５）。
【００７４】
次に、ダウンロード用ＵＲＬアクセス可否判定モジュール３１０は、ファイル情報読取モジュール３２０から引き受けた応答に含まれるファイルＩＤ５２０２とファイルダウンロード用ＷＥＢページ送出モジュール３００から引き受けたＵＲＬに含まれるファイルＩＤとが一致し、且つ、ファイル情報読取モジュール３２０からの応答に含まれる受信者ＩＤ５２０３とファイルダウンロード用ＷＥＢページ送出モジュール３００から引き受けたＵＲＬに含まれる受信者ＩＤとが一致するかどうかを判定することによって、条件２を満たすかどうかを判定する。条件２を満たさない場合、ダウンロード用ＵＲＬアクセス可否判定モジュール３１０は、アクセスを不許可と判定する（ステップＳ０１６）。
【００７５】
次に、ダウンロード用ＵＲＬアクセス可否判定モジュール３１０は、ファイル情報読取モジュール３２０に読み取りを依頼したＵＲＬ  ＩＤに対応するレコードのダイアル着信日時５２０７に値が書き込まれていないという通知及びＵＲＬ＿ＩＤ５２０１が合致するレコードがないという通知の少なくとも一方を受けていないかどうかを判定することによって、条件３を満たすかどうかを判定する。条件３を満たさない場合、ダウンロード用ＵＲＬアクセス可否判定モジュール３１０は、アクセスを不許可と判定する（ステップＳ０１７）。
【００７６】
ダウンロード用ＵＲＬアクセス可否判定モジュール３１０は、条件１、条件２及び条件３をすべて満たした場合に、アクセス許可と判定する。そして、ファイル情報読取モジュール３２０から受けたファイルＩＤ５２０２、受信者ＩＤ５２０３、ダイアル着信日時５２０７、ファイル名５２０５及びファイル保存先フォルダパス５２０６を、ファイルダウンロード用ＷＥＢページ送出モジュール３００に応答する。ファイルダウンロード用ＷＥＢページ送出モジュール３００は、ダウンロード用ＵＲＬアクセス可否判定モジュール３１０から受けた応答に含まれるファイル名５２０５及びファイル保存先フォルダパス５２０６を、ファイルダウンロード用ＷＥＢページ生成モジュール３３０に引き渡し、ファイルダウンロード用ＷＥＢページの生成を依頼する（ステップＳ０３０）。
【００７７】
ダウンロード用ＵＲＬアクセス可否判定モジュール３１０は、アクセスを不許可と判定した場合、ファイルダウンロード用ＷＥＢページ送出モジュール３００に不許可を通知する。そして、ファイルダウンロード用ＷＥＢページ送出モジュール３００は、ダウンロード用ＵＲＬアクセス可否判定モジュール３１０からアクセスを不許可とする判定の通知があると、ファイル保存先フォルダパス５２０６をスペースとした応答７３０を、ファイルダウンロード用ＷＥＢページ生成モジュール３３０へ引き渡す（ステップＳ０４０）。
【００７８】
ファイルダウンロード用ＷＥＢページ生成モジュール３３０は、ファイル名５２０５及び前記ファイル先保存フォルダパス５２０６を引き受け、ファイルダウンロード用ＷＥＢページを生成し、ファイルダウンロード用ＷＥＢページ送出モジュール３００へ応答する（ステップＳ０３１）。
【００７９】
ただし、ファイルダウンロード用ＷＥＢページ送出モジュール３００からの引き渡し内容が、ダウンロード用ＵＲＬのアクセス不許可を示すものであった場合、ファイルダウンロード用ＷＥＢページ生成モジュール３３０は、アクセスの拒否を示すＷＥＢページを生成し、ファイルダウンロード用ＷＥＢページ送出モジュール３００へ応答する（ステップＳ０４１）。
【００８０】
ファイルダウンロード用ＷＥＢページ送出モジュール３００は、ファイルダウンロード用ＷＥＢページ生成モジュール３３０から引き受けたＷＥＢページを、パーソナルコンピュータ２０へ送出する（ステップＳ０５０）。
【００８１】
ファイルダウンロード用ＷＥＢページ送出モジュール３００は、ファイルダウンロード用のＷＥＢページを通じて、パーソナルコンピュータ２０からファイルダウンロードを受け付ける（ステップＳ０５１）。
【００８２】
このように、本実施形態に係る電子ファイル受渡システムによれば、電子ファイル送信者が意図しない者に電子メールを盗聴された場合であっても、送信者が指定した電話番号の電話を所有していなければ電子ファイルをダウンロードできない。また、ファイルダウンロード用のＵＲＬにアクセスするためのパスワードや、ファイルを復号化するためのパスワードを、ファイル送信者とファイル受取者との間で受け渡す必要がない。よって、盗聴者による電子ファイルのダウンロードを防止し、安全で利便性の高い電子ファイル受渡プログラム及び電子ファイル受渡システムを提供することができる。
【００８３】
なお、第１の実施形態では、ファイル受け取り者からのダイアル着信について、着信日時を管理したが、ダイアル着信があったかどうかを管理するだけでもよい。この場合、ダイアル着信が過去にあればファイルのダウンロードを許可する。ただしダイアル着信日時を管理する場合に比べ、ダウンロード用のＵＲＬが記載された電子メールを盗聴した者によって、電子ファイルがダウンロードされてしまう危険性は増す。ダイアル着信日時を管理するかどうかは、必要とする安全性の強度に応じて本発明の実施者に委ねられる。
【００８４】
（第２の実施形態）
本実施の形態においては、電子ファイル受渡者が、ファイルをアップロードする際に、事前に登録しておいたファイル受信者メールアドレス及びファイル受信者電話番号を選択することで、同時に複数のファイル受信者を指定する場合及び同時に復号者が所有する複数の電話番号を指定する場合について説明する。
【００８５】
第２の実施形態の電子ファイル受渡システム５のブロック図は、第１の実施形態で示した図１と同じため、省略する。
【００８６】
図１４は、第２の実施形態の電子ファイル受渡システム５の機能ブロック図である。第２の実施形態における電子ファイル受渡システム５は、主記憶装置２００に、メインモジュール２１０、ファイル保存モジュール２３０、ダウンロード用ＵＲＬ生成モジュール２４０、ファイル情報保存モジュール２５０、メール送信モジュール２６０、ファイル送信用ＷＥＢページ送出モジュール２７０、受信者情報読取モジュール２８０、発信者電話番号受付モジュール４００、ダイアル着信日時書込モジュール４１０、ファイルダウンロード用ＷＥＢページ送出モジュール３００、ＵＲＬアクセス可否判定モジュール３１０、ファイル情報読取モジュール３２０及びファイルダウンロード用ＷＥＢページ生成モジュール３３０を記憶している。これらのモジュールは、電子ファイルの受渡側に関連するモジュール及び電子ファイルの受取側に関連するモジュールからなる。図１４において、図３と同じモジュールについては図３と同じ符号を付してその説明は省略する。以下、図３にはなかった各構成要素の詳細を説明する。
【００８７】
ファイル送信用ＷＥＢページ送出モジュール２７０及び受信者情報読取モジュール２８０は、ファイル受渡側に関連するモジュールである。
【００８８】
ファイル送信用ＷＥＢページ送出モジュール２７０は、データ通信インターフェイス１１０を経由してパーソナルコンピュータ１０からのアクセスを受け付ける。次に、ファイル送信用ＷＥＢページ送出モジュール２７０は、前記パーソナルコンピュータ１０を操作するユーザーが電子ファイル受渡システム５を利用するためのログイン認証を求めるログイン用WEBページ（図１５）をパーソナルコンピュータ１０に送出する。すると、パーソナルコンピュータ１０は、受信したログイン用WEBページを表示する。
【００８９】
図１５は、第２の実施形態のパーソナルコンピュータ１０が表示するログイン用ＷＥＢページの説明図である。ログイン用ＷＥＢページには、ユーザーＩＤ入力欄、パスワード入力欄及びログインボタンを含む。パーソナルコンピュータ１０は、ログインボタンが操作されると、ユーザーＩＤ入力欄及びパスワード入力欄に入力された情報を、パスワードファイル送信用ＷＥＢページ送出モジュール２７０に送信する。
【００９０】
ここで図１４に戻る。ファイル送信用WEBページ送出モジュール２７０は、パーソナルコンピュータ１０からユーザーＩＤ入力欄及びパスワード入力欄に入力された情報を受け付ける。次に、前記ユーザーＩＤ及び前記パスワードの組み合わせに一致するレコードが、ログイン情報保存テーブル５４０（図２１）に保存されているか読み取り、保存されていた場合にはログインを承認する。続いてファイル送信用WEBページ２７０１（図１６）をパーソナルコンピュータ１０に送出する。すると、パーソナルコンピュータ１０は、受信したファイル送信用WEBページ２７０１を表示する。
【００９１】
図２１は、第２の実施形態の電子ファイル受渡システムのログイン情報保存テーブル５４０の構成図である。ログイン情報保存テーブル５４０は、ユーザーＩＤ５４０１及びパスワード５４０２を含む。ユーザーＩＤ５４０１は、電子ファイル受渡システム５を使用するユーザーを一意に識別する識別子である。パスワード５４０２は、ユーザーＩＤ５４０１で示されるユーザーのログインパスワードである。
【００９２】
例えばレコード５４１であれば、ユーザーＩＤ５４０１は「ｙａｍａｄａ」、パスワード５４０２は「Ｄｅｌ０９ｓｘｄ」である。なお、受信者情報保存テーブル５４０には、事前に所定の方法でユーザーＩＤ５４０１、パスワード５４０２を保存しておく。
【００９３】
本ログイン認証技術は、会員向けWEBサイトを提供するシステムでは一般的であり、詳細な説明は省略する。
【００９４】
図１６は、第２の実施形態のパーソナルコンピュータ１０が表示するファイル送信用WEBページ２７０１の説明図である。ファイル送信用WEBページ２７０１には、送信ファイル入力欄、ファイル受信者選択ボタン及び送信ボタンを含む。パーソナルコンピュータ１０は、受信者選択ボタンが操作されると、ファイル送信用WEBページ送出モジュール２７０に受信者選択用ＷＥＢページ２８０１を要求する。
【００９５】
ここで図１４に戻る。ファイル送信用WEBページ送出モジュール２７０は、パーソナルコンピュータ１０から受信者選択用ＷＥＢページ２８０１の要求を受け付ける。次にログイン中のユーザーＩＤを受信者情報読取モジュール２８０に引き渡し、受信者情報保存テーブル５５０から当該ユーザーＩＤに関連する情報の読み取りを依頼する。
【００９６】
図１７は、第２の実施形態の電子ファイル受渡システムの受信者情報保存テーブル５５０の構成図である。受信者情報テーブル５５０は、ユーザーＩＤ５５０１、ファイル受信者名５５０２、ファイル受信者メールアドレス５５０３、第１のファイル受信者電話番号５５０４、第２のファイル受信者電話番号５５０５及び第３のファイル受信者電話番号５５０６を含む。ユーザーＩＤ５５０１は、電子ファイル受渡システム５を使用するユーザーを一意に識別する識別子である。ファイル受信者名５５０２は、ファイルの受信者を示す名称である。ファイル受信者メールアドレス５５０３は、ファイル受信者名５５０２で示されるファイル受信者のメールアドレスである。第１のファイル受信者電話番号５５０４、第２のファイル受信者電話番号５５０５及び第３のファイル受信者電話番号５５０６は、ファイル受信者５５０２で示されるファイル受信者が所有する電話の番号である。なお、受信者情報保存テーブル５５０には、事前に所定の方法でユーザーＩＤ５５０１、ファイル受信者名５５０２、ファイル受信者メールアドレス５５０３、第１のファイル受信者電話番号５５０４、第２のファイル受信者電話番号５５０５及び第３のファイル受信者電話番号５５０６を保存しておく。本実施形態では、受信者情報保存テーブル５５０にデータベースを用いているがＸＭＬファイルを用いてもよい。
【００９７】
例えば、レコード５５１であれば、ユーザーＩＤ５５０１は「ｙａｍａｄａ」、ファイル受信者名５５０２は「ＩＴ商事・佐藤」、ファイル受信者メールアドレス５５０３は「ｓａｔｏ＠ｉｔ−ｓｈｏｕｊｉ．ｃｏ．ｊｐ」、第１のファイル受信者電話番号５５０４は「０９０１２３４５６７８」、第２のファイル受信者電話番号５５０５は「０３３５６３９４７３」、第３のファイル受信者電話番号５５０６はＮＵＬＬといった初期値である。なお、図１７に示した受信者情報保存テーブル５５０のテーブル構造は一例であり、本発明の利用者の規模又はシステムを構成する中央処理装置若しくは主記憶装置の性能などに応じて、本発明を実施できる範囲で変更できる。
【００９８】
ここで図１４に戻る。受信者情報読取モジュール２８０は、ファイル送信用WEBページ送出モジュール２７０からユーザーＩＤを引き受ける。次に、受信者情報読取モジュール２８０は、引き受けたユーザーＩＤと受信者情報保存テーブル５５０のユーザーＩＤ５５０１とが一致するレコードを読み取り、ファイル送信用WEBページ送出モジュール２７０に応答する。一致するレコードが複数ある場合、受信者情報読取モジュール２８０は、全ての情報を応答する。例えば、ユーザーＩＤ「ｙａｍａｄａ」がログインしていた場合、受信者情報読取モジュール２８０は、レコード５５１、５５２及び５５３を応答する。
【００９９】
ファイル送信用WEBページ送出モジュール２７０は、受信者情報読取モジュール２８０から応答を受ける。次に、ファイル送信用WEBページ送出モジュール２７０は、受け付けた応答に基づいて、ファイル受信者選択用ＷＥＢページ２８０１を生成して、パーソナルコンピュータ１０へ送出する。すると、パーソナルコンピュータ１０は、受信したファイル受信者選択用ＷＥＢページ２８０１（図１８）を表示する。
【０１００】
図１８は、第２の実施形態のパーソナルコンピュータ１０が表示するファイル受信者選択用ＷＥＢページ２８０１の説明図である。ファイル受信者選択用ＷＥＢページ２８０１は、チェックボックス、ファイル受信者名、ファイル受信者メールアドレス、第１のファイル受信者電話番号、第２のファイル受信者電話番号５５０５、第３のファイル受信者電話番号５５０６及び決定ボタンを含む。
【０１０１】
ここで図１４に戻る。パーソナルコンピュータ１０は、決定ボタンが操作されると、ファイル送信用ＷＥＢページ送出モジュール２７０に、チェックボックスでチェックされているファイル受信者名、ファイル受信者メールアドレス、第１のファイル受信者電話番号、第２のファイル受信者電話番号及び第３のファイル受信者電話番号を、ファイル送信用WEBページ送出モジュール２７０に送信する。例えば、ファイル受信者名が「ＩＴ商事・佐藤」及び「情報通商・高橋」のチェックボックスにチェックが入っていた場合、「ＩＴ商事・佐藤、ｓａｔｏ＠ｉｔ−ｓｈｏｕｊｉ．ｃｏ．ｊｐ、０９０１２３４５６７８、０３３５６３９４７３、（ＮＵＬＬ）」及び「情報通商・高橋、ｔａｋａ＠ｊｏｈｏｓｈｏ．ｃｏ．ｊｐ、０９０１１２２３３４４、０２２２３６５６２１、０２２２２３６５６２２」を送信する。
【０１０２】
ファイル送信用WEBページ送出モジュール２７０は、パーソナルコンピュータ１０から、ファイル受信者名、ファイル受信者メールアドレス、第１のファイル受信者電話番号、第２のファイル受信者電話番号及び第３のファイル受信者電話番号を受け付ける。続いて、ファイル送信用WEBページ送出モジュール２７０は、ファイル送信用ページ２７０２を生成し、パーソナルコンピュータ１０へ送出する。すると、パーソナルコンピュータ１０は、受信したファイル送信用WEBページ２７０２（図１９）を表示する。
【０１０３】
図１９は、第２の実施形態のパーソナルコンピュータ１０が表示するファイル送信用WEBページ２７０２の説明図である。ファイル送信用WEBページ２７０２は、送信ファイル入力欄、ファイル受信者名、ファイル受信者メールアドレス、第１のファイル受信者電話番号、第２のファイル受信者電話番号、第３のファイル受信者電話番号及び送信ボタンを含む。パーソナルコンピュータ１０は、送信ボタンが操作されると、送信ファイル入力欄に入力された情報、ファイル受信者メールアドレス、第１のファイル受信者電話番号、第２のファイル受信者電話番号及び第３のファイル受信者電話番号（入力９００）を、ファイル送信用WEBページ送出モジュール２７０に送信する。
【０１０４】
ここで図１４に戻る。ファイル送信用WEBページ送出モジュール２７０は、パーソナルコンピュータ１０から入力９００を受け付け、ファイル保存モジュール２３０に引き渡す。第２のファイ受信者電話番号又は第３のファイル受信者電話番号が設定されていた場合は、送信ファイル入力欄に入力された情報及びファイル受信者メールアドレスを複製して、ファイル保存モジュール２３０に引き渡す。例えば、ファイル受信者メールアドレス、第１のファイル受信者電話番号、第２のファル受信者電話番号及び第３のファイル受信者電話番号が、「ｓａｔｏ＠ｉｔ−ｓｈｏｕｊｉ．ｃｏ．ｊｐ、０９０１２３４５６７８、０３３５６３９４７３、（ＮＵＬＬ）」及び「ｔａｋａ＠ｊｏｈｏｓｈｏ．ｃｏ．ｊｐ、０９０１１２２３３４４、０２２２３６５６２１、０２２２２３６５６２２」であった場合、これに電子ファイルを含め「Ｃ：￥ｆｉｌｅ￥ＳｅｃｒｅｔＦＩｌｅ．ｔｘｔ、ｓａｔｏ＠ｉｔ−ｓｈｏｕｊｉ．ｃｏ．ｊｐ、０９０１２３４５６７８」、「Ｃ：￥ｆｉｌｅ￥ＳｅｃｒｅｔＦＩｌｅ．ｔｘｔ、ｓａｔｏ＠ｉｔ−ｓｈｏｕｊｉ．ｃｏ．ｊｐ、０３３５６３９４７３」、「Ｃ：￥ｆｉｌｅ￥ＳｅｃｒｅｔＦＩｌｅ．ｔｘｔ、ｔａｋａ＠ｊｏｈｏｓｈｏ．ｃｏ．ｊｐ、０９０１１２２３３４４」、「Ｃ：￥ｆｉｌｅ￥ＳｅｃｒｅｔＦＩｌｅ．ｔｘｔ、ｔａｋａ＠ｊｏｈｏｓｈｏ．ｃｏ．ｊｐ、０２２２３６５６２１」及び「Ｃ：￥ｆｉｌｅ￥ＳｅｃｒｅｔＦＩｌｅ．ｔｘｔ、ｔａｋａ＠ｊｏｈｏｓｈｏ．ｃｏ．ｊｐ、０２２２２３６５６２２」をファイル保存モジュール２３０に引き渡す。
【０１０５】
ファイル保存モジュール２３０は、ファイル送信用WEBページ送出モジュール２７０から、電子ファイル、ファイル受信者メールアドレス及びファイル受信者電話番号を引き受け、第１の実施形態と同様の方法で処理する。
【０１０６】
以下、他のモジュールの機能は第１の実施例と同様のため、説明は省略する。
【０１０７】
電子ファイル受取側に関連するモジュールの機能は第１の実施例と同じため、説明は省略する。
【０１０８】
次に第２の実施形態で電子ファイル受渡システムを用いて電子ファイルを受け渡す方法について図を用いて説明する。図２０では電子ファイル受渡側の処理を説明する。なお、電子ファイル受取側の処理は図１３を用いて説明した第１の実施例と同様のため説明を省略する。
【０１０９】
図２０は、第２の実施形態の電子ファイル受渡システム５の電子ファイル受渡側の処理のフローチャートである。
【０１１０】
まず、電子ファイル受渡プログラムのファイル送信用WEBページ送出モジュール２７０は、パーソナルコンピュータ１０からのアクセスを待ち受ける。そして、パーソナルコンピュータ１０からのアクセスがあるまで、待機する（ステップＳ１０１）。ファイル送信用WEBページ送出モジュール２７０は、アクセスを受けると、ログイン用WEBページ（図１５）をパーソナルコンピュータ１０に送出する（ステップＳ１０２）。
【０１１１】
ファイルアップロード用ＷＥＢページ送出モジュール２７０は、パーソナルコンピュータ１０からログインを受け付け、ファイル送信用WEBページ２７０１（図１６）をパーソナルコンピュータ１０に送出する（ステップＳ１０３）。
【０１１２】
ファイルアップロード用ＷＥＢページ送出モジュール２７０は、パーソナルコンピュータ１０から受信者選択ボタンの操作を受け付け、受信者情報保存テーブル５５０の読み取りを受信者情報読取モジュール２８０に依頼する。次に、ファイルアップロード用ＷＥＢページ送出モジュール２７０は、前記依頼の応答に基づいてパーソナルコンピュータ１０に受信者選択用ＷＥＢページ２８０１（図１８）を送出する（ステップＳ１０４）。
【０１１３】
ファイル送信用ＷＥＢページ送出モジュール２７０は、パーソナルコンピュータ１０から、ファイル受信者名、ファイル受信者メールアドレス、第１のファイル受信者電話番号、第２のファイル受信者電話番号及び第３のファイル受信者電話番号を受け付け、ファイル送信用WEBページ２７０２（図１９）を送出する（ステップＳ１０５）。
【０１１４】
ファイル送信用ＷＥＢページ送出モジュール２７０は、パーソナルコンピュータ１０から送信ボタンの操作を受け付け、電子ファイル、電子ファイル名、電子ファイル受信者のメールアドレス、第１のファイル受信者電話番号、第２のファイル受信者電話番号及び第３のファイル受信者電話番号をファイル保存モジュール２３０に引き渡す。（ステップＳ１０６）。
【０１１５】
以降のステップＳ００４〜００９は第１の実施例と同様のため説明は省略する。
【０１１６】
このように、本実施形態に係る電子ファイル受渡システムによれば、電子ファイル送信者が意図しない者に電子メールを盗聴された場合であっても、送信者が指定した電話番号の電話を所有していなければ電子ファイルをダウンロードできない。電子メールの盗聴者による電子ファイルのダウンロードを防止し、安全で利便性の高い電子ファイル受渡プログラム及び電子ファイル受渡システムを提供することができる。また、電子ファイル受渡者が、ファイルをアップロードする際に、事前に登録しておいたファイル受信者メールアドレス及びファイル受信者電話番号を選択することで、同時に複数のファイル受信者を指定することができる。更に、電子ファイル受信者が、複数の電話を所有する場合であっても、所有する複数の電話番号を指定できる。例えば、電子ファイル受信者の携帯電話の電話番号及び固定電話の電話番号を指定できる。
【０１１７】
（第３の実施形態）
本実施の形態においては、電子ファイル受渡者が、ファイルをアップロードする際に、事前に登録しておいたファイル受信者メールアドレスを選択することで、事前にグループ登録しておいた複数の電話番号を指定する場合について説明する。
【０１１８】
第３の実施形態の電子ファイル受渡システム５のブロック図は、第１の実施形態で示した図１と同じため、省略する。
【０１１９】
図２２は、第３の実施形態の電子ファイル受渡システム５の機能ブロック図である。第３の実施形態における電子ファイル受渡システム５は、主記憶装置２００に、メインモジュール２１０、ファイル保存モジュール２３０、ダウンロード用ＵＲＬ生成モジュール２４０、ファイル情報保存モジュール２５０、メール送信モジュール２６０、ファイル送信用ＷＥＢページ送出モジュール２７５、受信者情報読取モジュール２８０、受信者電話番号読取モジュール２９０、発信者電話番号受付モジュール４００、ダイアル着信日時書込モジュール４１０、ファイルダウンロード用ＷＥＢページ送出モジュール３００、ＵＲＬアクセス可否判定モジュール３１０、ファイル情報読取モジュール３２０及びファイルダウンロード用ＷＥＢページ生成モジュール３３０を記憶している。これらのモジュールは、電子ファイルの受渡側に関連するモジュール及び電子ファイルの受取側に関連するモジュールからなる。図２２において、図１４と同じモジュールについては図１４と同じ符号を付してその説明は省略する。以下、図１４にはなかった各構成要素の詳細を説明する。
【０１２０】
ファイル送信用ＷＥＢページ送出モジュール２７５及び受信者情報読取モジュール２９０は、ファイル受渡側に関連するモジュールである。
【０１２１】
ファイル送信用ＷＥＢページ送出モジュール２７５は、データ通信インターフェイス１１０を経由してパーソナルコンピュータ１０からのアクセスを受け付ける。次に、ファイル送信用ＷＥＢページ送出モジュール２７５は、前記パーソナルコンピュータ１０を操作するユーザーが電子ファイル受渡システム５を利用するためのログイン認証を求めるログイン用WEBページをパーソナルコンピュータ１０に送出する。すると、パーソナルコンピュータ１０は、受信したログイン用WEBページを表示する。
【０１２２】
第３の実施形態のパーソナルコンピュータ１０が表示するログイン用ＷＥＢページは、第２の実施形態で示した図１５と同じため省略する。
【０１２３】
ファイル送信用WEBページ送出モジュール２７５は、パーソナルコンピュータ１０からユーザーＩＤ入力欄及びパスワード入力欄に入力された情報を受け付ける。次に、ファイル送信用WEBページ送出モジュール２７５は、受け付けたユーザーＩＤ及び前記パスワードの組み合わせに一致するレコードが、ログイン情報保存テーブル５４０（図２１）に保存されているか否かを読み取り、保存されていた場合にはログインを承認する。続いて、ファイル送信用WEBページ送出モジュール２７５は、ファイル送信用WEBページ２７０１（図１６）をパーソナルコンピュータ１０に送出する。すると、パーソナルコンピュータ１０は、受信したファイル送信用WEBページ２７０１を表示する。
【０１２４】
前記、ログイン情報保存テーブル５４０は、第２の実施形態のログイン情報保存テーブル（図２１）と同じため、説明を省略する。
【０１２５】
第３の実施形態のログイン認証技術は、会員向けWEBサイトを提供するシステムでは一般的であり、詳細な説明は省略する。
【０１２６】
第３の実施形態のパーソナルコンピュータ１０が表示するファイル送信用WEBページ２７０１は、第２の実施形態で示した図１６と同じため、説明を省略する。
【０１２７】
ファイル送信用WEBページ送出モジュール２７５は、パーソナルコンピュータ１０から受信者選択用ＷＥＢページ２８０２の要求を受け付ける。次に、ファイル送信用WEBページ送出モジュール２７５は、ログイン中のユーザーＩＤを受信者情報読取モジュール２８０に引き渡し、受信者情報保存テーブル５６０から当該ユーザーＩＤに関連する情報の読み取りを依頼する。
【０１２８】
図２３は、第３の実施形態の電子ファイル受渡システムの受信者情報保存テーブル５６０の構成図である。受信者情報保存テーブル５６０は、ユーザーＩＤ５６０１、ファイル受信者名５６０２、ファイル受信者メールアドレス５６０３、グループＩＤ５６０４及びグループ名５６０５を含む。ユーザーＩＤ５６０１は、電子ファイル受渡システム５を使用するユーザーを一意に識別する識別子である。ファイル受信者名５６０２は、ファイルの受信者を示す名称である。ファイル受信者メールアドレス５６０３は、ファイル受信者名５６０２で示されるファイル受信者のメールアドレスである。グループＩＤ５６０４は、受信者電話番号のグループを一意に識別する識別子である。グループ名５６０５は、グループＩＤで識別されるグループの名称である。本説明図の受信者電話番号グループ保存テーブル５７０（図２４）では、複数の受信者電話番号を、グループＩＤによって識別されるグループとして管理する。なお、受信者情報保存テーブル５６０には、事前に所定の方法でユーザーＩＤ５６０１、ファイル受信者名５６０２、ファイル受信者メールアドレス５６０３、グループＩＤ５６０４及びグループ名５６０５を保存しておく。本実施形態では、受信者情報保存テーブル５６０にデータベースを用いているがＸＭＬファイルを用いてもよい。
【０１２９】
例えばレコード５６１であれば、ユーザーＩＤ５６０１は「ｙａｍａｄａ」、ファイル受信者名５６０２は「ＩＴ商事・佐藤」、ファイル受信者メールアドレス５６０３は「ｓａｔｏ＠ｉｔ−ｓｈｏｕｊｉ．ｃｏ．ｊｐ」、グループＩＤ５６０４は「０００１」、グループ名５６０５は、「ＩＴ商事」である。なお、図２３に示した受信者情報保存テーブル５６０のテーブル構造は一例であり、本発明の利用者の規模又はシステムを構成する中央処理装置若しくは主記憶装置の性能などに応じて、本発明を実施できる範囲で変更できる。
【０１３０】
図２４は、第３の実施形態の電子ファイル受渡システムの受信者電話番号グループ保存テーブル５７０の構成図である。受信者電話番号グループ保存テーブル５７０は、グループＩＤ５７０１及びファイル受信者電話番号５７０２を含む。グループＩＤ５７０２は、受信者情報保存テーブル５６０に含まれるグループＩＤ５６０４と同じであり、受信者電話番号のグループを一意に識別する識別子である。つまり、グループＩＤ５７０２は、受信者情報保存テーブル５６０と受信者電話番号グループ保存テーブル５７０とを関連付ける。ファイル受信者電話番号５７０２は、電子ファイルの受信者の電話番号である。
【０１３１】
例えばレコード５７１であれば、グループＩＤ５７０１は「０００１」であり、ファイル受信者電話番号５７０２は、「０３３５６３９４７３」である。電話番号「０３３５６３９４７３」、「０３３５６３９４７４」及び「０３３５６３９４７５」は、グループＩＤ「０００１」で識別される一つのグループとして管理される。図２４に示した受信者電話番号グループ保存５７０のテーブル構造は一例であり、本発明の利用者の規模又はシステムを構成する中央処理装置若しくは主記憶装置の性能などに応じて、本発明を実施できる範囲で変更できる。
【０１３２】
ここで図２２に戻る。受信者情報読取モジュール２８０は、ファイル送信用WEBページ送出モジュール２７５からユーザーＩＤを引き受ける。次に引き受けたユーザーＩＤと受信者情報保存テーブル５６０のユーザーＩＤ５６０１とが一致するレコードに関する情報を、受信者情報保存テーブル５６０から読み取り、ファイル送信用WEBページ送出モジュール２７５に応答する。ユーザＩＤが一致するレコードが複数ある場合、受信者情報読取モジュール２８０は、全ての情報を応答する。例えば、ユーザーＩＤ「ｙａｍａｄａ」がログインしていた場合、受信者情報読取モジュール２８０は、レコード５６１、５６２及び５６３を応答する。
【０１３３】
ファイル送信用WEBページ送出モジュール２７５は、受信者情報読取モジュール２８０から応答を受ける。次に、ファイル送信用WEBページ送出モジュール２７５は、受け付けた応答に基づいて、ファイル受信者選択用ＷＥＢページ２８０２を生成して、パーソナルコンピュータ１０へ送出する。すると、パーソナルコンピュータ１０は、受信したファイル受信者選択用ＷＥＢページ２８０２（図２５）を表示する。
【０１３４】
図２５は、第３の実施形態のパーソナルコンピュータ１０が表示するファイル受信者選択用ＷＥＢページ２８０２の説明図である。ファイル受信者選択用ＷＥＢページ２８０２は、チェックボックス、ファイル受信者名、ファイル受信者メールアドレス、グループ名及び決定ボタンを含む。
【０１３５】
ここで図２２に戻る。パーソナルコンピュータ１０は、決定ボタンが操作されると、ファイル送信用ＷＥＢページ送出モジュール２７５に、チェックボックスでチェックされているファイル受信者名、ファイル受信者メールアドレス、グループＩＤ及びグループ名を、ファイル送信用WEBページ送出モジュール２７５に送信する。例えば、ファイル受信者名が「ＩＴ商事・佐藤」のチェックボックスにチェックが入っていた場合、「ＩＴ商事・佐藤、ｓａｔｏ＠ｉｔ−ｓｈｏｕｊｉ．ｃｏ．ｊｐ、０００１、ＩＴ商事」を送信する。
【０１３６】
ファイル送信用WEBページ送出モジュール２７５は、パーソナルコンピュータ１０から、ファイル受信者名、ファイル受信者メールアドレス、グループＩＤ及びグループ名を受け付ける。続いて、ファイル送信用WEBページ送出モジュール２７５は、ファイル送信用ページ２７０３を生成し、パーソナルコンピュータ１０へ送出する。パーソナルコンピュータ１０は、受信したファイル送信用WEBページ２７０３（図２６）を表示する。
【０１３７】
図２６は、第３の実施形態のパーソナルコンピュータ１０が表示するファイル送信用WEBページ２７０３の説明図である。ファイル送信用WEBページ２７０３は、送信ファイル入力欄、ファイル受信者名、ファイル受信者メールアドレス、グループＩＤ、グループ名及び送信ボタンを含む。パーソナルコンピュータ１０は、送信ボタンが操作されると、送信ファイル入力欄に入力された情報、ファイル受信者メールアドレス及びグループＩＤを、ファイル送信用WEBページ送出モジュール２７５に送信する。例えば「Ｃ：￥ｆｉｌｅ￥ＳｅｃｒｅｔＦＩｌｅ．ｔｘｔ、ｓａｔｏ＠ｉｔ−ｓｈｏｕｊｉ．ｃｏ．ｊｐ、０００１」を送信する。
【０１３８】
ここで図２２に戻る。ファイル送信用WEBページ送出モジュール２７５は、パーソナルコンピュータ１０から送信ファイル入力欄に入力された情報、ファイル受信者メールアドレス及びグループＩＤを受け付ける。次に、ファイル送信用WEBページ送出モジュール２７５は、受け付けたグループＩＤを受信者電話番号読取モジュール２９０へ引き渡し、ファイル受信者電話番号の読み取りを依頼する。
【０１３９】
受信者電話番号読取モジュール２９０は、ファイル送信用WEBページ送出モジュール２７５から、グループＩＤを引き受ける。続いて、受信者電話番号読取モジュール２９０は、ファイル受信者電話番号保存テーブル５７０から、前記グループＩＤとグループＩＤ５７０１が一致するレコードを選択する。次に、受信者電話番号読取モジュール２９０は、選択したレコードから、ファイル受信者電話番号５７０２を読み取って、ファイル送信用WEBページ送出モジュール２７５へ応答する。読み取ったファイル受信電話番号５７０２が複数ある場合、受信者電話番号読取モジュール２９０は、全てのファイル受信電話番号５７０２を応答する。例えばグループＩＤ「０００１」を引き受けた場合、受信者電話番号読取モジュール２９０が選択するレコードは５７１、５７２及び５７３である。よって、受信者電話番号読取モジュール２９０は、ファイル受信者電話番号５７０２の「０３３５６３９４７３」、「０３３５６３９４７４」及び「０３３５６３９４７５」を応答する。
【０１４０】
ファイル送信用WEBページ送出モジュール２７５は、受信者電話番号読取モジュール２９０からの応答を引き受ける。続いて、ファイル送信用WEBページ送出モジュール２７５は、コンピュータ１０から受け付けている送信ファイル入力欄に入力された情報及びファイル受信者メールアドレスに、受信者電話番号読取モジュール２９０から引き受けたファイル受信者電話番号を含めて、ファイル保存モジュール２３０に引き渡す。ファイル送信用WEBページ送出モジュール２７５は、受信者電話番号読取モジュール２９０から複数の電話番号を含む応答を受け付けた場合、コンピュータ１０から受け付けている送信ファイル入力欄に入力された情報及びファイル受信者メールアドレスを複製して、電話番号と共に、ファイル保存モジュール２３０に引き渡す。例えば、コンピュータ１０から「Ｃ：￥ｆｉｌｅ￥ＳｅｃｒｅｔＦＩｌｅ．ｔｘｔ、ｓａｔｏ＠ｉｔ−ｓｈｏｕｊｉ．ｃｏ．ｊｐ、０００１」受け付け、受信者電話番号読取モジュール２９０から「０３３５６３９４７３」、「０３３５６３９４７４」及び「０３３５６３９４７５」を引き受けた場合、ファイル送信用WEBページ送出モジュール２７５は、「ＳｅｃｒｅｔＦＩｌｅ．ｔｘｔ、ｓａｔｏ＠ｉｔ−ｓｈｏｕｊｉ．ｃｏ．ｊｐ、０３３５６３９４７３」、「ＳｅｃｒｅｔＦＩｌｅ．ｔｘｔ、ｓａｔｏ＠ｉｔ−ｓｈｏｕｊｉ．ｃｏ．ｊｐ、０３３５６３９４７４」、「ＳｅｃｒｅｔＦＩｌｅ．ｔｘｔ、ｔａｋａ＠ｊｏｈｏｓｈｏ．ｃｏ．ｊｐ、０３３５６３９４７５」をファイル保存モジュール２３０に引き渡す。
【０１４１】
ファイル保存モジュール２３０は、ファイル送信用WEBページ送出モジュール２７５から、電子ファイル、ファイル受信者メールアドレス及びファイル受信者電話番号を引き受け、第１の実施形態と同様の方法で処理する。
【０１４２】
以下、他のモジュールの機能は第１の実施例と同様のため、説明は省略する。
【０１４３】
電子ファイル受取側に関連するモジュールの機能は第１の実施例と同じため、説明は省略する。
【０１４４】
次に第３の実施形態で電子ファイル受渡システムを用いて電子ファイルを受け渡す方法について図を用いて説明する。図２７では電子ファイル受渡側の処理を説明する。なお、電子ファイル受取側の処理は図１３を用いて説明した第１の実施例と同様のため説明を省略する。
【０１４５】
図２７は、第２の実施形態の電子ファイル受渡システム５の電子ファイル受渡側の処理のフローチャートである。
【０１４６】
まず、電子ファイル受渡プログラムのファイル送信用WEBページ送出モジュール２７５は、パーソナルコンピュータ１０からのアクセスを待ち受ける。そして、ファイル送信用WEBページ送出モジュール２７５は、パーソナルコンピュータ１０からのアクセスがあるまで、待機する（ステップＳ１０１）。ファイル送信用WEBページ送出モジュール２７５は、アクセスを受けると、ログイン用WEBページ（図１５）をパーソナルコンピュータ１０に送出する（ステップＳ２０２）。
【０１４７】
ファイルアップロード用ＷＥＢページ送出モジュール２７５は、パーソナルコンピュータ１０からログインを受け付け、ファイル送信用WEBページ２７０１（図１６）をパーソナルコンピュータ１０に送出する（ステップＳ２０３）。
【０１４８】
ファイルアップロード用ＷＥＢページ送出モジュール２７５は、パーソナルコンピュータ１０から受信者選択ボタンの操作を受け付け、受信者情報保存テーブル５６０の読み取りを受信者情報読取モジュール２８０に依頼する。次に、ファイルアップロード用ＷＥＢページ送出モジュール２７５は、前記依頼の応答に基づいてパーソナルコンピュータ１０に受信者選択用ＷＥＢページ２８０２（図２５）を送出する（ステップＳ２０４）。
【０１４９】
ファイル送信用ＷＥＢページ送出モジュール２７５は、パーソナルコンピュータ１０から、ファイル受信者名、ファイル受信者メールアドレス、グループＩＤ、グループ名称を受け付け、ファイル送信用WEBページ２７０３（図２６）を送出する（ステップＳ２０５）。
【０１５０】
ファイル送信用ＷＥＢページ送出モジュール２７５は、パーソナルコンピュータ１０から送信ボタンの操作を受け付け、電子ファイル、電子ファイル名、電子ファイル受信者のメールアドレス及びグループＩＤを受け付ける。続いて、ファイル送信用ＷＥＢページ送出モジュール２７５は、グループＩＤを受信者電話番号読取モジュール２９０へ引き渡す。
【０１５１】
受信者電話番号読取モジュール２９０は、ファイル送信用WEBページ送出モジュール２７５から、グループＩＤを引き受ける。続いて、受信者電話番号読取モジュール２９０は、ファイル受信者電話番号保存テーブル５７０から、引き受けたグループＩＤとファイル受信者電話番号保存テーブル５７０のグループＩＤ５７０１とが一致するレコードを、ファイル受信者電話番号保存テーブル５７０から選択する。次に、受信者電話番号読取モジュール２９０は、選択したレコードから、ファイル受信者電話番号５７０２を読み取って、ファイル送信用WEBページ送出モジュール２７５へ応答する。
【０１５２】
ファイル送信用WEBページ送出モジュール２７５は、受信者電話番号読取モジュール２９０からのファイル受信者電話番号の応答を引き受ける。続いて、ファイル送信用WEBページ送出モジュール２７５は、コンピュータ１０から受け付けている電子ファイル、電子ファイル名及び電子ファイル受信者のメールアドレスに、ファイル送信用ＷＥＢページ送出モジュール２７５から引き受けたファイル受信者電話番号を含めて、ファイル保存モジュール２３０に引き渡す（ステップＳ２０６）。
【０１５３】
以降、ステップＳ００４〜００９は第１の実施例と同様のため説明は省略する。
【０１５４】
このように、本実施形態に係る電子ファイル受渡システムによれば、電子ファイル送信者が意図しない者に電子メールを盗聴された場合であっても、送信者が指定した電話番号の電話を所有していなければ電子ファイルをダウンロードできない。電子メールの盗聴者による電子ファイルのダウンロードを防止し、安全で利便性の高い電子ファイル受渡プログラム及び電子ファイル受渡システムを提供することができる。また、ファイル受信者メールアドレスを選択することで、事前にグループ登録しておいたファイル受信者の複数の電話番号を指定することができる。
【０１５５】
第３の実施形態では、複数の電話番号を所有する企業に勤める従業員へ電子ファイルを受け渡す場合に、特に有効である。こういった企業の従業員は必ずしも決まった電話番号からダイアル発信できるわけではない。他の従業員により、使用したい電話番号が使用中だったり、企業内交換機（ＰＢＸ）で電話回線が自動的に選択されたりする。事前に、この企業内のすべての電話番号を、グループとして登録しておくことで、従業員は企業内の電話からダイアル発信することで、ファイルを受け取ることができる。
【図面の簡単な説明】
【０１５６】
【図１】第１の実施形態のパスワード伝達システムの機能的な構成要素及び外接する要素とのネットワーク構成を示した図である。
【図２】外部の補助記憶装置に接続している第１の実施形態の電子ファイル受渡システムの、機能的な構成要素及び概説する要素とのネットワーク構成を示した図である。
【図３】図１の主記憶装置で動作するプログラムのモジュール及び図１の補助記憶装置にて保存するテーブル等を示したものである。
【図４】図３のファイルアップロード用ＷＥＢページ送出モジュールが送信するＷＥＢページの一例について示した図である。
【図５】図３のＵＲＬ生成モジュールが生成するＵＲＬの一例を示した図である。
【図６】図３のファイル情報保存テーブルの一例を示した図である。
【図７】図３のファイル情報保存テーブルで、ダイアル着信日時が書き込まれた一例を示した図である。
【図８】図３のファイルダウンロード用ＷＥＢ生成モジュールが生成するファイルダウンロード用ＷＥＢページの一例を示した図である。
【図９】図３のファイルダウンロード用ＷＥＢ生成モジュールが生成するアクセス拒否用のＷＥＢページの一例を示した図である。
【図１０】図３のファイルダウンロード用ＷＥＢ生成モジュールが生成するアクセス拒否用及び携帯電話からのダイアルを促すＷＥＢページの一例を示した図である。
【図１１】図３のファイルダウンロード用ＷＥＢページ送出モジュールが、ＷＥＢブラウザからの初回アクセスであることを判定して、送出するＷＥＢページの一例を示した図である。
【図１２】第１の実施形態の電子ファイル受渡プログラムで、電子ファイルを受け渡す方法を示したフローチャート図である。
【図１３】第１の実施形態の電子ファイル受渡プログラムで、電子ファイルを受け取る方法を示したフローチャート図である。
【図１４】第２の実施形態のパスワード伝達システムの主記憶装置で動作するプログラムのモジュール及び第２の実施形態のパスワード伝達システムの補助記憶装置にて保存するテーブル等を示したものである。
【図１５】図１４のファイル送信用ＷＥＢページ送出モジュールが送信するログイン用ＷＥＢページの一例について示した図である。
【図１６】図１４のファイル送信用ＷＥＢページ送出モジュールが送信するファイル送信用ＷＥＢページの一例について示した図である。
【図１７】図１４の受信者情報保存テーブルの一例を示した図である。
【図１８】図１４のファイル送信用ＷＥＢページ送出モジュールが送信するファイル受信者選択用ＷＥＢページの一例について示した図である。
【図１９】図１４のファイル送信用ＷＥＢページ送出モジュールが送信するファイル送信用WEBページの一例について示した図である。
【図２０】第２の実施形態の電子ファイル受渡プログラムで、電子ファイルを受け渡す方法を示したフローチャート図である。
【図２１】図１４のログイン情報保存テーブルの一例を示した図である。
【図２２】第３の実施形態のパスワード伝達システムの主記憶装置で動作するプログラムのモジュール及び第３の実施形態のパスワード伝達システムの補助記憶装置にて保存するテーブル等を示したものである。
【図２３】図２２の受信者情報保存テーブルの一例を示した図である。
【図２４】図２２の受信者電話番号グループ保存テーブルの一例を示した図である。
【図２５】図２２のファイル送信用ＷＥＢページ送出モジュールが送信するファイル受信者選択用ＷＥＢページの一例について示した図である。
【図２６】図２２のファイル送信用ＷＥＢページ送出モジュールが送信するファイル送信用WEBページの一例について示した図である。
【図２７】第３の実施形態の電子ファイル受渡プログラムで、電子ファイルを受け渡す方法を示したフローチャート図である。
【符号の説明】
【０１５７】
５…電子ファイル受渡システム、１００…中央処理装置、１１０…データ通信インターフェイス、１２０…電話回線インターフェイス、２００…主記憶装置、２１０…メインモジュール、２２０…ファイルアップロード用ＷＥＢページ送出モジュール、２３０…ファイル保存モジュール、２４０…ダウンロード用ＵＲＬ生成モジュール、２５０…ファイル情報保存モジュール、２６０…メール送信モジュール、２７０…ファイル送信用ＷＥＢページ送出モジュール、２７５…ファイル送信用ＷＥＢページ送出モジュール、２８０…受信者情報読取モジュール、２９０…受信者電話番号読取モジュール、３００…ファイルダウンロード用ＷＥＢページ送出モジュール、３１０…ダウンロード用ＵＲＬアクセス可否判定モジュール、３２０…ファイル情報読取モジュール、３３０…ファイルダウンロード用ＷＥＢページ生成モジュール、４００…発信者電話番号受付モジュール、４１０…ダイアル着信日時書込モジュール、５００…補助記憶装置、５１０…ファイル保存領域、５２０…ファイル情報保存テーブル、５４０…ログイン情報保存テーブル、５５０…受信者情報保存テーブル、１０及び２０…パーソナルコンピュータ、５０…固定電話、６０携帯電話、１…インターネット、２…電話通信網
【図１】
2007188278.tif 000003
【図２】
2007188278.tif 000004
【図３】
2007188278.tif 000005
【図４】
2007188278.tif 000006
【図５】
2007188278.tif 000007
【図６】
2007188278.tif 000008
【図７】
2007188278.tif 000009
【図８】
2007188278.tif 000010
【図９】
2007188278.tif 000011
【図１０】
2007188278.tif 000012
【図１１】
2007188278.tif 000013
【図１２】
2007188278.tif 000014
【図１３】
2007188278.tif 000015
【図１４】
2007188278.tif 000016
【図１５】
2007188278.tif 000017
【図１６】
2007188278.tif 000018
【図１７】
2007188278.tif 000019
【図１８】
2007188278.tif 000020
【図１９】
2007188278.tif 000021
【図２０】
2007188278.tif 000022
【図２１】
2007188278.tif 000023
【図２２】
2007188278.tif 000024
【図２３】
2007188278.tif 000025
【図２４】
2007188278.tif 000026
【図２５】
2007188278.tif 000027
【図２６】
2007188278.tif 000028
【図２７】
2007188278.tif 000029